(57)【特許請求の範囲】
【請求項１】
音データおよび像データのうちの少なくともいずれか一方を含む情報を再生処理し出力手段から出力させ、かつ操作手段の入力操作に応じて前記情報の再生処理を一時停止するとともに、動作発生手段に操作手段を動作させる情報処理装置であって、
前記動作発生手段を制御する動作制御手段を備え、
前記動作制御手段は、前記情報の再生処理の一時停止時に、前記情報の特性に応じて、前記動作発生手段に前記操作手段を動作させるものであり、
前記特性は、前記情報が音データの場合には音量、音程、テンポのうちのいずれかで、前記情報が像データの場合には明暗、コントラスト、色彩のうちのいずれかである
ことを特徴とした情報処理装置。
【請求項２】
音データおよび像データのうちの少なくともいずれか一方を含む情報を再生処理し出力手段から出力させるとともに、動作発生手段に操作手段を動作させる情報処理装置であって、
前記動作発生手段を制御する動作制御手段を備え、
前記動作制御手段は、前記情報が前記出力手段から出力されていない時、前記情報の特性に応じて、前記動作発生手段に前記操作手段を動作させるものであり、
前記特性は、前記情報が音データの場合には音量、音程、テンポのうちのいずれかで、前記情報が像データの場合には明暗、コントラスト、色彩のうちのいずれかである
ことを特徴とした情報処理装置。
【請求項３】
請求項１または請求項２に記載の情報処理装置であって、
前記動作制御手段は、前記操作手段の動作を停止させる処理と前記操作手段を動作させる処理とを切り換え可能に制御する
ことを特徴とした情報処理装置。
【請求項４】
請求項１ないし請求項３のいずれかに記載の情報処理装置であって、
前記操作手段の動作は、前記特性に応じた振動である
ことを特徴とした情報処理装置。
【請求項５】
請求項１ないし請求項４のいずれかに記載の情報処理装置であって、
前記操作手段は、回転操作により回転可能に設けられた回転体部を備え、
前記動作発生手段は、前記情報のテンポと、リズムと、音量とのうちの少なくともいずれか１つの特性に対応して前記回転体部を振動させる
ことを特徴とした情報処理装置。
【請求項６】
請求項１ないし請求項５のいずれかに記載の情報処理装置であって、
前記動作発生手段は、前記操作手段の入力操作を規制する規制処理と、前記操作手段の入力操作を補助する補助処理とのうちの少なくともいずれか一方を実施して、前記操作手段の入力操作の負荷を変動させる
ことを特徴とした情報処理装置。
【請求項７】
請求項１ないし請求項６のいずれかに記載の情報処理装置であって、
前記操作手段は、入力操作により移動されるものであり、
前記動作発生手段は、あらかじめ設定した位置および前記特性が変化する位置のうちの少なくともいずれか一方に対応する特性位置を中心とした所定の移動範囲で、前記特性位置までの前記操作手段の移動範囲における入力操作の負荷を増大させ、前記特性位置以降の前記操作手段の移動範囲における入力操作の負荷を減少させる
ことを特徴とした情報処理装置。
【請求項８】
請求項１ないし請求項７のいずれかに記載の情報処理装置であって、
前記情報を取得する情報取得手段と、前記特性を認識する特性認識手段と、前記情報を再生処理する処理手段と、を備え、
前記動作発生手段は、前記認識した情報の特性に基づいて、前記操作手段を動作させる
ことを特徴とした情報処理装置。
【請求項９】
請求項１ないし請求項７のいずれかに記載の情報処理装置であって、
前記情報を取得する情報取得手段と、前記特性を認識する特性認識手段と、前記情報を再生処理する処理手段と、を備え、
前記操作手段は、前記特性を調整する特性操作信号を出力するものであり、
前記動作発生手段は、前記特性操作信号に応じて調整される特性に応じて、前記操作手段を動作させる
ことを特徴とした情報処理装置。
【請求項１０】
請求項８または請求項９に記載の情報処理装置であって、
前記操作手段は、入力操作により移動されるものであり、
前記特性認識手段は、前記特性を、前記情報の再生開始位置からの時間情報と関連付けて認識し、
前記動作発生手段は、前記情報の再生位置が、あらかじめ設定した位置および前記特性が変化する位置のうちの少なくともいずれか一方に対応する特性位置を前記操作手段が移動する際に前記操作手段を動作させる
ことを特徴とした情報処理装置。
【請求項１１】
請求項８ないし請求項１０のいずれかに記載の情報処理装置であって、
前記操作手段は、動作可能な第１の操作子であって、前記特性を調整するために入力操作される第１の操作子を備え、
前記動作発生手段は、前記第１の操作子を動作させ、
前記情報取得手段は、前記情報として音楽データを取得し、
前記特性認識手段は、前記音楽データのリズムを特性として認識し、
前記動作発生手段は、前記リズムのタイミングで、前記第１の操作子を動作させる
ことを特徴とした情報処理装置。
【請求項１２】
請求項８ないし請求項１０のいずれかに記載の情報処理装置であって、
前記操作手段は、動作可能な第１の操作子であって、前記特性を調整するために入力操作される第１の操作子を備え、
前記動作発生手段は、前記第１の操作子を動作させ、
前記情報取得手段は、前記情報として音楽データを取得し、
前記特性認識手段は、前記音楽データにおける所定の周波数以下の音量が所定値以上となる特性を認識し、
前記動作発生手段は、前記所定の周波数以下の音量が所定値以上となる位置に対応する特性位置を、入力操作にて前記第１の操作子が移動する際に前記第１の操作子を動作させる
ことを特徴とした情報処理装置。
【請求項１３】
請求項８ないし請求項１０のいずれかに記載の情報処理装置であって、
前記操作手段は、動作可能な第１の操作子であって、前記特性を調整するために入力操作される第１の操作子を備え、
前記動作発生手段は、前記第１の操作子を動作させ、
前記情報取得手段は、前記情報として映像データを取得し、
前記特性認識手段は、前記映像データの映像切替位置を特定して認識し、
前記動作発生手段は、前記映像切替位置に対応する特性位置を、入力操作にて前記第１の操作子が移動する際に前記第１の操作子を動作させる
ことを特徴とした情報処理装置。
【請求項１４】
請求項８ないし請求項１０のいずれかに記載の情報処理装置であって、
前記操作手段は、動作可能な第１の操作子と、第２の操作子とを備え、
前記特性認識手段は、前記情報の特性を、前記情報の再生開始位置からの時間情報と関連付けて認識し、
前記処理手段は、前記第１の操作子の入力操作の操作信号に応じて、前記時間情報に基づいて前記情報の再生開始位置からの再生位置を変更させるとともに、前記第２の操作子の入力操作の操作信号に基づいて前記出力手段から出力される前記情報の再生位置を所定の再生位置に変更させ、
前記動作発生手段は、前記第２の操作子の操作信号に基づいて再生位置が所定の再生位置に変更された際の前記所定の再生位置を前記情報の特性位置として認識し、前記第１の操作子の操作信号に基づいて変更される前記情報の再生位置が、前記特性位置に位置したことを認識すると、前記第１の操作子を動作させる
ことを特徴とした情報処理装置。
【請求項１５】
請求項８ないし請求項１４のいずれかに記載の情報処理装置であって、
前記特性認識手段にて認識した情報の特性および前記操作手段の入力操作の操作信号に基づく入力操作状況を、表示手段に表示させる表示制御手段を具備した
ことを特徴とした情報処理装置。
【請求項１６】
音データおよび像データのうちの少なくともいずれか一方を含む情報を再生処理し出力手段から出力させ、かつ操作手段の入力操作に応じて前記情報の再生処理を一時停止するとともに、動作発生手段に操作手段を動作させる動作発生工程を実施する情報処理方法であって、
前記動作発生工程を制御する動作制御工程を備え、
前記動作制御工程は、前記情報の再生処理の一時停止時に、前記情報の特性に応じて、前記動作発生手段に前記操作手段を動作させるものであり、
前記特性は、前記情報が音データの場合には音量、音程、テンポのうちのいずれかで、前記情報が像データの場合には明暗、コントラスト、色彩のうちのいずれかである
ことを特徴とする情報処理方法。
【請求項１７】
音データおよび像データのうちの少なくともいずれか一方を含む情報を再生処理し出力手段から出力させるとともに、動作発生手段に操作手段を動作させる動作発生工程を実施する情報処理方法であって、
前記動作発生工程を制御する動作制御工程を備え、
前記動作制御工程は、前記情報が前記出力手段から出力されていない時、前記情報の特性に応じて、前記動作発生手段に前記操作手段を動作させるものであり、
前記特性は、前記情報が音データの場合には音量、音程、テンポのうちのいずれかで、前記情報が像データの場合には明暗、コントラスト、色彩のうちのいずれかである
ことを特徴とする情報処理方法。
【発明の詳細な説明】
【技術分野】
【０００１】
本発明は、入力操作される操作子を備え、入力操作に応じて情報を出力状態が変更する状態に処理し、情報の処理状況を設定する情報処理装置および情報処理方法に関する。
【０００２】
従来、電気的な信号を制御するコントロール装置として、ボタン式やボリューム式など各種構成のスイッチ装置が知られている。そして、各種構成のスイッチ装置は、制御する電気的な信号の種別や制御内容、あるいは意匠上の観点などにより、適宜選択されて各種電気機器に利用されている。
【０００３】
一方、音楽を演奏する場合に、再生装置としてのレコードプレーヤを用い、ディスクジョッキ（ＤＪ）と呼ばれる奏者によって、ダンスミュージックなどを演奏するＤＪ奏法が知られている。このＤＪ奏法は、レコード盤に記録された音楽情報をダンスミュージックなどとして効果的に演奏する方法である。具体的には、ディスクジョッキが、レコードプレーヤのレコード盤が載置されたターンテーブルの回転状態を手動により制御し、レコード盤に記録された音楽情報を再生、停止、あるいは音楽情報の同一フレーズの繰り返し再生、および、再生を始めたい位置への頭出し再生などを実施する。
【０００４】
また、近年では、音声や音楽などの音情報や画像や映像などの像情報がデジタルデータとして記録されたＣＤ（Compact Disc）やＤＶＤ（Digital Versatile Disc）などの記録媒体を用いて、上記のようなダンスミュージックなどの音楽コンテンツや画像コンテンツなどを再生する再生装置が知られている（例えば、特許文献１および特許文献２参照）。これら特許文献１および特許文献２に記載のものは、アナログのレコードプレーヤの操作感を擬似的に再現してターンテーブルの回転を手動で制御する感覚で、音情報などの再生状況を制御する構成が採られている。すなわち、台座部にリング状の回転駆動部を軸方向となる接離方向で移動可能に設けている。そして、回転駆動部には円盤状のジョグテーブルが回転自在に載置されて配設されている。また、台座部には、ジョグテーブルの回転が伝達されジョグテーブルの回転を検出する回転検出手段と、回転駆動部に対向する位置にこの台座部の周方向に沿って設けられジョグテーブルの押圧操作により回転駆動部が台座部へ近接する状態に移動されたことを検出してジョグテーブルが押圧されたことを検出するタッチセンサーや（５−４）テープ状スイッチと、が設けられている。
【０００５】
【特許文献１】
特開２００４−８６９５８号公報（第８頁ないし第２１頁）
【特許文献２】
特開２００４−８７１９２号公報（第６頁ないし第１５頁）
【発明の開示】
【発明が解決しようとする課題】
【０００６】
ところで、従来のレコードプレーヤでは、電動モータからの回転駆動を無端ベルトを介して伝達されてターンテーブルが一方向に回転し、このターンテーブル上に載置されたレコード盤を再生する構成が採られている。このため、ＤＪ奏法において、ターンテーブルの回転方向に回転させる操作では比較的に小さい抵抗感であるが、ターンテーブルの回転方向とは逆方向に回転させる操作では比較的に大きな抵抗感を奏者に与えることとなる。
【０００７】
しかしながら、上述した特許文献１および特許文献２に記載のような従来の構成では、ジョグテーブルが単に回転自在に配設されているので、操作方法に応じた操作感が得られにくい。特に近年のＤＪ奏法の多様化に伴って、従来のレコードプレーヤのターンテーブルの回転を制動する際の操作感に、より酷似した操作感が得られる再生装置が望まれているという点が一例として挙げられる。
【０００８】
一方、上述した特許文献１および特許文献２に記載のような従来の再生装置を利用した音楽コンテンツや画像コンテンツなどの再生は、あたかも電子楽器のように操作してダンスホールやクラブなどで実施される。このことにより、比較的に大きな音量で、かつ特殊な照明空間でＤＪ奏法が実施される。しかしながら、上記特許文献１および特許文献２に記載のような従来の構成では、再生状態をヘッドホンや小型の表示装置などにて確認するので、ＤＪ奏法による音楽コンテンツや画像コンテンツなどの再生状態を認識しにくいおそれがある点が一例として挙げられる。
【０００９】
本発明の目的は、これらのような点に鑑みて、入力操作に応じた情報処理における入力操作が良好にでき、入力操作による情報処理が良好に得られ、情報の処理状況の認識が容易な情報処理装置および情報処理方法を提供することにある。
【００１０】
本発明の情報処理装置は、音データおよび像データのうちの少なくともいずれか一方を含む情報を再生処理し出力手段から出力させ、かつ操作手段の入力操作に応じて前記情報の再生処理を一時停止するとともに、動作発生手段に操作手段を動作させる情報処理装置であって、前記動作発生手段を制御する動作制御手段を備え、前記動作制御手段は、前記情報の再生処理の一時停止時に、前記情報の特性に応じて、前記動作発生手段に前記操作手段を動作させるものであり、前記特性は、前記情報が音データの場合には音量、音程、テンポのうちのいずれかで、前記情報が像データの場合には明暗、コントラスト、色彩のうちのいずれかであることを特徴とする。
【００１２】
本発明の情報処理方法は、音データおよび像データのうちの少なくともいずれか一方を含む情報を再生処理し出力手段から出力させ、かつ操作手段の入力操作に応じて前記情報の再生処理を一時停止するとともに、動作発生手段に操作手段を動作させる動作発生工程を実施する情報処理方法であって、前記動作発生工程を制御する動作制御工程を備え、前記動作制御工程は、前記情報の再生処理の一時停止時に、前記情報の特性に応じて、前記動作発生手段に前記操作手段を動作させるものであり、前記特性は、前記情報が音データの場合には音量、音程、テンポのうちのいずれかで、前記情報が像データの場合には明暗、コントラスト、色彩のうちのいずれかであることを特徴とする。
【００１３】
本発明の情報処理方法は、音データおよび像データのうちの少なくともいずれか一方を含む情報を再生処理し出力手段から出力させるとともに、動作発生手段に操作手段を動作させる動作発生工程を実施する情報処理方法であって、前記動作発生工程を制御する動作制御工程を備え、前記動作制御工程は、前記情報が前記出力手段から出力されていない時、前記情報の特性に応じて、前記動作発生手段に前記操作手段を動作させるものであり、前記特性は、前記情報が音データの場合には音量、音程、テンポのうちのいずれかで、前記情報が像データの場合には明暗、コントラスト、色彩のうちのいずれかであることを特徴とする。
【図面の簡単な説明】
【００３２】
【図１】本発明の再生装置に係わる第１実施形態における再生システムを示すブロック図である。
【図２】上記第１実施形態における情報処理装置を示す平面図である。
【図３】上記第１実施形態におけるスイッチ装置を示す平面図である。
【図４】上記第１実施形態におけるスイッチ装置を示す側面断面図である。
【図５】上記第１実施形態に置けるスイッチ装置における回転駆動手段が配設された位置を切り欠いた側面断面図である。
【図６】上記第１実施形態における回転体部を示す一部を切り欠いた分解斜視図である。
【図７】上記第１実施形態におけるジョグテーブル部を示す平面図である。
【図８】上記第１実施形態における回転体部を取り外した状態のスイッチ装置における回転体部と回転移動検出手段との関係を示す平面図である。
【図９】上記第１実施形態における回転体部を取り外した状態のスイッチ装置における回路基板の配置状況を示す平面図である。
【図１０】上記第１実施形態における回転体部および回転動作部を取り外した状態のスイッチ装置を示す平面図である。
【図１１】上記第１実施形態におけるスイッチ装置における回転体を取り外した状態での回転移動検出手段近傍の平面断面図である。
【図１２】上記第１実施形態におけるスイッチ装置における回転体を取り外した状態での台座部を切り欠いた回転移動検出手段近傍の斜視図である。
【図１３】上記第１実施形態におけるスイッチ装置における規制手段の位置を切り欠いた側面断面図である。
【図１４】上記第１実施形態におけるスイッチ装置における回転体を取り外した状態での台座部を切り欠いた規制手段近傍の斜視図である。
【図１５】上記第１実施形態におけるスイッチ装置のねじ止めリブ部近傍の側面断面図である。
【図１６】上記第１実施形態におけるスイッチ装置のガイドピン部近傍の側面断面図である。
【図１７】上記第１実施形態におけるスイッチ装置の押圧膨出部近傍の側面断面図である。
【図１８】上記第１実施形態におけるスイッチ装置の緩衝部材近傍の側面断面図である。
【図１９】上記第１実施形態における第２の表示装置の表示領域における概略構成を示す説明図である。
【図２０】上記第１実施形態における音楽データにおける低音域の音量の変化状態を示す波形図である。
【図２１】上記第１実施形態における音楽データにおけるキューポイントの設定状況を示す波形図である。
【図２２】上記第１実施形態における再生位置と特性の位置との位置関係で回転操作により負荷を生じさせる動作を説明する説明図で、（Ａ）は回転操作に対して生じさせる負荷の状態を示すタイミングチャートであり、（Ｂ）は回転体部の回転移動に対応した再生位置の移動軌跡と特性の位置との位置関係で回転規制する領域を示す説明図である。
【図２３】上記第１実施形態における音楽データの処理状況および振動モータの振動状況を示すタイミングチャートで、（Ａ）は音楽データの音量の変化状態を示す波形図であり、（Ｂ）は振動モータに供給される電力の電流値の変化状態を示す波形図である。
【図２４】上記第１実施形態における音楽データの処理状況および振動モータの振動状況を示すタイミングチャートで、（Ａ）は音楽データの音量の変化状態を示す波形図であり、（Ｂ）は振動モータに供給される電力の電流値の変化状態を示す波形図である。
【図２５】上記第１実施形態における音楽データの処理状況および振動モータの振動状況を示すタイミングチャートで、（Ａ）は音楽データの音量の変化状態を示す波形図であり、（Ｂ）は振動モータに供給される電力の電流値の変化状態を示す波形図である。
【図２６】上記第１実施形態における再生システムの情報処理動作での再生処理の動作を示すフローチャートである。
【図２７】上記第１実施形態における再生システムの情報処理動作での再生状況の変更処理を示すフローチャートである。
【図２８】本発明の再生装置に係わる第２実施形態および第３実施形態における再生システムを示すブロック図である。
【図２９】上記第２実施形態および第３実施形態における再生システムの情報処理動作での再生処理の動作を示すフローチャートである。
【図３０】上記第２実施形態における再生システムの情報処理動作での再生状況の変更処理を示すフローチャートである。
【図３１】上記第３実施形態における再生システムの情報処理動作での再生状況の変更処理を示すフローチャートである。
【図３２】本発明の再生装置に係わる第４実施形態および第５実施形態における再生システムを示すブロック図である。
【図３３】上記第４実施形態および第５実施形態における再生システムの情報処理動作での再生状況の変更処理を示すフローチャートである。
【図３４】上記第５実施形態における音楽データの音量の変化状態を示す波形図である。
【図３５】上記第５実施形態における振動モータに供給される電力の電流値の変化状態を示す波形図である。
【符号の説明】
［００３３］
１００  再生装置としての再生システム
２００  出力手段
３００  ＤＪ用再生装置である情報処理装置
３４７  操作子である第２の操作子としてのキューボタン
４００  情報処理手段
４１０  状況認識手段
４１１  操作信号認識手段
４１２  特性認識手段
４２０  情報取得手段
４３１  規制制御手段
４３２  振動制御手段
４４０  処理手段
４５０  表示制御手段
５００  スイッチ装置
６００  操作子としての第１の操作子である回転体部
９００  動作発生手段を構成する規制手段
９２０  接触部材としての規制歯車
９３０  回転駆動手段
９５０  動作発生手段を構成する振動モータ
【発明を実施するための最良の形態】
［００３４］
＜第１実施形態＞
〔再生システムの構成〕
以下、本発明の具体的な実施形態における再生装置としての再生システムの構成について、図面を参照して説明する。なお、本発明におけるスイッチ装置としては、再生システムに利用される構成の他、いずれの情報を処理する構成、さらには情報を処理する構成のみならず、いずれのスイッチ構成にも適用可能である。
図１において、１００は再生システムで、この再生システム１００は、情報である音声や音楽に関する音情報や画像や映像に関する像情報を再生する。この再生システム１００は、出力手段２００と、情報処理装置３００と、を備えている。
【００３５】
出力手段２００は、情報処理装置３００から出力される信号に基づいて、音声や音楽、あるいは画像や映像として出力する。この出力手段２００は、発音手段２１０と、表示手段２２０と、を備えている。発音手段２１０は、図示しないスピーカを備えている。そして、発音手段２１０は、情報処理装置３００から音情報に対応した信号を取得すると、例えば増幅などの処理を適宜実行してスピーカから音声や音楽として発音により出力する。一方、表示手段２２０は、情報処理装置３００から像情報に対応した信号を取得すると、適宜処理して画像や映像として表示により出力する。この表示手段２２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００３６】
情報処理装置３００は、いわゆるＤＪ用再生装置で、図示しない記録媒体に記録された情報を出力手段で出力可能に処理する。この処理としては、例えば、ディスクジョッキ（ＤＪ）と呼ばれる奏者が、レコードプレーヤを用いてレコード盤の音楽情報を演奏する場合と同様な操作に対応した情報の処理である。ここで、記録媒体としては、例えばＣＤ−ＤＡ（Compact Disc-Digital Audio）、ＣＤ−ＲＯＭ（Compact Disc-Read Only Memory）、ＤＶＤ−ＲＯＭ（Digital Versatile Disc - Read Only Memory）、ＤＶＤ−Ｒ（Digital Versatile Disc-Recordable）、ＤＶＤ−ＲＷ（Digital Versatile Disc - ReWritable）、などの光ディスク、光磁気（ＭＯ：magneto-optical）ディスク、ハードディスクなどの磁気ディスク、あるいはメモリカードやＩＣ（Integrated Circuit）カードなど、着脱可能な構成の他、半導体メモリなども対象とすることができる。
【００３７】
そして、情報処理装置３００は、例えば図２に示すように、ＡＢＳ（Acrylonitrile-Butadiene-Styrene）樹脂にて略矩形状に形成された本体ケース３０１を有している。この本体ケース３０１内には、記録媒体に記録された情報を読み取って出力手段２００で出力させる再生のための処理をする情報処理手段４００が設けられている。また、本体ケース３０１の一側面である正面（図２中の下側）には、側方に向けて開口する挿入口３０２が設けられている。この挿入口３０２は、記録媒体が挿通して本体ケース３０１内外へ搬送可能に設けられている。なお、挿入口３０２は、１つに限らず、異なる種別の記録媒体が利用可能である場合には、それら種別に対応して複数設けられていてもよい。また、本体ケース３０１の平面である上面（図２で示される面）には、略中央に位置して情報処理手段４００とともに本発明の情報処理装置を構成する大型のスイッチ装置５００が臨んで配設される略円形のスイッチ窓部３０３が開口形成されている。さらに、本体ケース３０１の上面には、情報処理手段４００の処理状態を設定入力する各種操作部材が複数設けられているとともに、情報の処理状態などを表示する第１の表示装置３１０が設けられている。
【００３８】
(スイッチ装置の構成)
次に、本発明に係わるスイッチ装置５００について図面を参照して説明する。
スイッチ装置５００は、図２ないし図５に示すように、例えばレコード盤を再生するためのレコードプレーヤにおけるターンテーブルを模擬した形状に構成されている。このスイッチ装置５００は、ユーザの入力操作により情報の処理状態を可変設定する。具体的には、情報として音楽情報を再生するために処理する場合に、音楽情報の再生速度や再生方向、再生の停止や再開などの音楽情報の再生状態を可変するなど、情報の処理状態を可変設定する。そして、スイッチ装置５００は、操作手段を構成する操作子としての回転体部６００と、軸支台座部７００と、移動状況検出手段８００と、動作発生手段を構成する規制手段９００と、動作発生手段を構成する振動モータ９５０と、を備えている。
【００３９】
回転体部６００は、図２ないし図６に示すように、移動部としてのジョグテーブル部６１０と、支持手段を構成する周縁覆い部としてのジョグリング部６５０と、を有している。これらジョグテーブル部６１０およびジョグリング部６５０は、例えば比較的に機械的強度が強く家電機器などに広く利用されているＡＢＳ樹脂にて形成されている。
【００４０】
そして、ジョグテーブル部６１０は、図２ないし図７に示すように、略円板状の天面部としてのテーブル板６１１と、このテーブル板６１１の周縁に上端縁が連続する略円筒状の胴体部６１２と、この胴体部６１２の下端縁に径方向の外方に向けてフランジ状に突出する突出部としてのフランジ部６１３と、を一連に有し、略円盤状に形成されている。テーブル板６１１の略中央には、略円形の表示窓部６１４が開口形成されている。そして、テーブル板６１１の表示窓部６１４は、透光性を有した保護板６１５にて閉塞されている。また、ジョグテーブル部６１０のテーブル板６１１の上面には、保護板６１５の外周側に位置して、例えばリング状のポリカーボネート板やゴム板などの比較的に摩擦が生じやすい滑り止め部材６１８が設けられている。さらに、ジョグテーブル部６１０のテーブル板６１１の下面である胴体部６１２が突出する側の面には、表示窓部６１４と略同芯上に一対のガイドリブ部６２１が二重構造で突設されている。これらガイドリブ部６２１間には、ガイド溝部６２２が区画形成される。また、外周側のガイドリブ部６２１の外周面には、ラックである第１の歯車６２３が設けられている。さらに、ジョグテーブル部６１０の胴体部６１２の外周面には、係止リブ部６２５が例えば周方向で複数設けられている。
【００４１】
また、ジョグリング部６５０には、嵌挿筒部６５１と、操作面部６５２と、係合フランジ部６５３と、を有し、略リング状に形成されている。嵌挿筒部６５１は、ジョグテーブル部６１０の胴体部６１２を内周側に嵌挿可能でかつジョグテーブル部６１０のフランジ部６１３を挿通不可能な内径の略円筒状に形成されている。この嵌挿筒部６５１の軸方向の一端である下端縁には、ジョグテーブル部６１０の係止リブ部６２５が係合する係合切欠部６５４が係止リブ部６２５の配置位置に対応して複数設けられている。操作面部６５２は、嵌挿筒部６５１の軸方向の一端である上端縁から斜め外方でかつ下方に向けて嵌挿筒部６５１を覆う状態に一連に設けられている。この操作面部６５２の外周面には、略等間隔に略球面凹状の操作凹部６５７が設けられている。さらに、操作面部６５２の外周面には、操作凹部６５７の間に位置して、略円柱状の操作膨出部６５８が斜めに複数、例えば３つ略直線状に設けられている。係合フランジ部６５３は、操作面部６５２の下端縁から外方に向けて略フランジ状に突出する状態に一連に設けられている。
【００４２】
一方、軸支台座部７００は、図２ないし図５および図８ないし図１８に示すように、台座部７１０と、回転動作部７５０と、を備えている。台座部７１０は、回転体部６００を回転可能に軸支する。回転動作部７５０は、台座部７１０に軸支される回転体部６００の回転を円滑に案内支持する。
この台座部７１０は、例えば比較的に機械的強度が強く家電機器などに広く利用されているＡＢＳ樹脂にて形成されている。そして、台座部７１０は、略円板状の天板部７１１と、この天板部７１１の周縁に上端縁が連続する略円筒状の円筒部７１２と、この円筒部７１２の下端縁に径方向の外方に向けて鍔状に突出する鍔部７１３と、を一連に有し、略円盤状に形成されている。
【００４３】
また、台座部７１０の天板部７１１には、略中央に位置して略四角形の窓部７２１が開口形成されているとともに、周縁近傍に位置して回転検出窓部７２２Ａおよび回転規制窓部７２２Ｂが開口形成されている。さらに、天板部７１１の下面には、下方に向けて突出し回路基板７２３を取り付ける基板取付リブ７２４が複数設けられている。回路基板７２３には、天板部７１１の窓部７２１に臨んで表示面が位置する状態に、情報処理手段４００に接続され情報の処理状態を表示する第２の表示装置３２０が搭載されている。
【００４４】
さらに、天板部７１１の上面には、回転体部６００のジョグテーブル部６１０の回転を案内する回転案内手段７３０が窓部７２１の一角に位置して設けられている。
この回転案内手段７３０は、例えば耐蝕性に優れたステンレス鋼板などの金属板にて略直角方向に長手方向を有する略Ｌ字状に形成され、天板部７１１の所定の位置に位置決めされて取り付けられる取付板部７３１を有している。そして、取付板部７３１の長手方向の両端部には、回転自在に軸支された例えば真鍮製の略球状のローラ部７３２がそれぞれ設けられている。そして、回転案内手段７３０は、ローラ部７３２の回転中心からの距離が等距離となる位置と、ジョグテーブル部６１０のテーブル板６１１の中心に対応する位置とが同一、例えばローラ部７３２の回転中心を結ぶ線分を斜辺とした直角二等辺三角形の頂点が天板部７１１の中心に位置する状態に、天板部７１１に取付固定されている。
さらに、回転案内手段７３０は、ローラ部７３２がジョグテーブル部６１０のガイド溝部６２２に係合し、台座部７１０の中心に回転体部６００の回転中心が位置する状態にジョグテーブル部６１０を回転可能に支持する。なお、取付板部７３１は、ステンレス鋼板に限らず、いずれの金属板でもできる。特に、耐蝕性を有するものや耐蝕性の処理が施されたものが好ましい。さらには、金属に限らず、例えば機械的強度が強いエンジニアリングプラスチックなどの合成樹脂などを用いることもできる。また、回転案内手段７３０は、取付板部７３１を用いずローラ部７３２を天板部７１１に直接軸支する構成としてもよく、一対設けた構成に限らず複数設けた構成、さらには天板部７１１に対して放射状に回転軸を有する状態に複数配設する構成など、回転体部６００を回転可能に支持可能ないずれの構成でもできる。
【００４５】
そして、台座部７１０の円筒部７１２には、外周面に複数の凹部７１２Ａが複数設けられている。さらに、円筒部７１２には、内周面側を外周面側に連通する配線窓部７１２Ｂが設けられている。さらに、台座部７１０の鍔部７１３には、逃げ凹部７１２Ａ内に位置して、上方に向けてねじ止めリブ部７１３Ａや、ガイドピン部７１３Ｂが適宜突設されている。また、鍔部７１３には、円筒部７１２の周面に沿って円周状に突設され円筒部７１２の外周面との間に凹溝状の配線溝部７１３Ｃを区画形成する配線リブ７１３Ｄが設けられている。さらに、鍔部７１３には、回転軸方向が円筒部７１２の中心に対して放射状となる状態に回転自在に軸支された複数の第１のローラ７１３Ｅが、同心円上に複数配設されている。さらに、鍔部７１３には、同心円状に位置して複数の当接リブ７１３Ｆが突設されている。この当接リブ７１３Ｆは、鍔部７１３の上面に対して複数の第１のローラ７１３Ｅの外周面で構成される平面の位置より低い高さ寸法で突設されている。そして、第１のローラ７１３Ｅの外周面にジョグリング部６５０の係合フランジ部６５３が載置する状態に当接し、ジョグリング部６５０は複数の第１のローラ７１３Ｅ上でジョグテーブル部６１０とともに台座部７１０の中心に回転中心が位置する状態で回転可能に載置支持される。なお、ジョグリング部６５０の係合フランジ部６５３は、通常時は当接リブ７１３Ｆに当接せず、例えば上方から強い力が作用した場合に各部位が変形するなどに際して当接する。このことにより、大きな外力による各部位の損傷が防止される。また、鍔部７１３には、同心円状に位置して複数設けられ、ジョグリング部６５０の係合フランジ部６５３の外周縁を係合して台座部７１０から脱落を防止するガイド爪部７１３Ｇが設けられている。
【００４６】
また、回転動作部７５０は、回転体部６００のジョグテーブル部６１０を回転可能に載置支持する。この回転動作部７５０は、台座部７１０の配線溝部７１３Ｃに対応して略リング状に形成されている。そして、回転動作部７５０には、台座部７１０の鍔部７１３に対向する面に、対向方向に略球面状に膨出する複数の押圧膨出部７５１と、例えばゴムや高密度マイクロセルウレタンフォームあるいはコイルばね部材などの弾性変形可能な複数の緩衝部材７５２と、が設けられている。さらに、回転動作部７５０には、放射状に回転中心が位置する状態で外周面に回転体部６００のジョグテーブル部６１０のフランジ部６１３の下面が当接してジョグテーブル部６１０を載置支持する複数の第２のローラ７５３が配設されている。また、回転動作部７５０は、内周縁から内方に向けて台座部７１０の凹部７１２Ａに対応した形状で舌片状に突出する支持片部７５４が複数設けられている。これら支持片部７５４は、台座部７１０のねじ止めリブ部７１３Ａおよびガイドピン部７１３Ｂに軸方向で移動可能に貫通する状態でかつ、ねじ止めリブ部７１３Ａに配設された付勢手段としての例えばコイルばね７１３Ｈの復元力にて脱落不可能にねじ止めにて取り付けられている。この取り付けられた状態では、緩衝部材７５２および押圧膨出部７５１は台座部７１０の鍔部７１３に当接せず、コイルばね７１３Ｈを弾性変形する回転体部６００の押圧操作により緩衝部材７５２が当接し、さらに押圧操作されることで押圧膨出部７５１が当接する状態となっている。
【００４７】
一方、移動状況検出手段８００は、利用者による回転あるいは押圧するなどの入力操作により回転あるいは傾斜または押下移動などの回転体部６００の移動状況を認識する。そして、移動状況検出手段８００は、例えば情報処理手段４００に接続され、認識した移動状況に関する信号を情報処理手段４００へ出力する。この移動状況検出手段８００は、回転移動検出手段８１０と、押圧検出手段８２０と、を備えている。
【００４８】
回転移動検出手段８１０は、図８ないし図１２に示すように、台座部７１０の天板部７１１の下面に、回転検出窓部７２２Ａに臨んで配設されている。そして、回転移動検出手段８１０は、取付台座板８１１と、ピニオンである検出歯車８１２と、回転検出板８１３と、検出手段としての回転検出センサ８１４と、を有している。
【００４９】
取付台座板８１１は、長手板状に形成され、長手方向の一端部が天板部７１１の下面に軸支され、長手方向の他端側を回動可能に配設されている。また、検出歯車８１２は、取付台座板８１１の長手方向の他端部に、回転軸が取付台座板８１１の厚さ方向に沿う状態で回転自在に軸支されている。この検出歯車８１２は、取付台座板８１１が天板部７１１に配設された状態で、回転検出窓部７２２Ａから天板部７１１の上方に臨み、ジョグテーブル部６１０の第１の歯車６２３に係合してジョグテーブル部６１０の回転に対応して回転する状態に軸支されている。また、回転検出板８１３は、透光性の合成樹脂にて検出歯車８１２の径寸法より径大の円板状に形成され、放射状に複数の帯状目盛り８１３Ａが印刷形成されている。この帯状目盛り８１３Ａは、内周側と外周側とで径方向に２分割され、内周側と外周側とが周方向で変位する状態に設けられている。そして、回転検出板８１３は、検出歯車８１２に略同軸上に一体的に取り付けられている。
回転検出センサ８１４は、例えば回転検出板８１３の帯状目盛り８１３Ａを検出する光センサ８１４Ａとこの光センサ８１４Ａからの出力信号を取得して操作に対応した操作信号である所定の検出信号を出力する回路が搭載された検出回路基板８１４Ｂとを有している。この回転検出センサ８１４は、光センサ８１４Ａの光軸が回転検出板８１３の外周側および内周側の帯状目盛り８１３Ａが印刷形成された外周部分に位置して回転検出板８１３の厚さ方向に沿う状態に取付台座板８１１に取り付けられている。すなわち、回転検出センサ８１４は、デジタル２相方式で、回転検出板８１３の回転速度および回転方向を検出する。そして、回転検出センサ８１４は、回転体部６００の移動状況として検出信号を情報処理手段４００へ出力する。この回転移動検出手段８１０は、取付台座板８１１が、例えばジョグテーブル部６１０の急激な回転などにて第１の歯車６２３から検出歯車８１２に急激な回転が作用した場合、検出歯車８１２が逃げるようにトーションコイルばね８１５の付勢に抗して取付台座板８１１の長手方向の他端側が第１の歯車６２３の外方へ回動する状態に取り付けられて配設されている。
【００５０】
なお、回転検出センサ８１４は、上述した構成に限らず、いずれの方法が利用できる。例えば、回転検出板８１３の帯状目盛り８１３Ａを磁気インキにて印刷形成して磁力を検出する磁気センサを利用したり、回転検出板８１３を用いず検出歯車８１２の外周面の一部に反射部材や磁石などを設けて光センサ８１４Ａや磁気センサにて検出歯車８１２の回転を直接検出したり、第１の歯車６２３や検出歯車８１２などを設けず、ジョグテーブル部６１０に設けた反射部材や磁石などを光センサ８１４Ａや磁気センサにて検出してジョグテーブル部６１０の回転状態を直接検出したりするなど、回転体部６００の回転状態を検出可能ないずれの構成でも適用できる。
【００５１】
また、移動状況検出手段８００の押圧検出手段８２０は、図９、図１０および図１５ないし図１８に示すように、台座部７１０の配線溝部７１３Ｃに配設されるテープ状スイッチ８２１を備えている。このテープ状スイッチ８２１は、例えばメンブレンスイッチなどのスイッチ８２１Ａを複数、例えば回転動作部７５０の押圧膨出部７５１に対向する位置に複数設けて構成されている。そして、押圧検出手段８２０は、回転体部６００が押圧されジョグテーブル部６１０とともにコイルばね７１３Ｈや緩衝部材７５２などの復元力に抗して押し下げられる回転動作部７５０の押圧膨出部７５１によりスイッチ８２１Ａが閉成されて回転動作部７５０の押圧による移動状況を認識し、接続される情報処理手段４００が押圧の入力操作を認識する。なお、押圧検出手段８２０は、スイッチ８２１Ａを備えた接点式のものに限らず、例えば感圧センサや、圧電素子などを有した構成、あるいはテープ状に限らず、押圧膨出部７５１に対向する位置に複数設けた構成、さらには回転動作部７５０を設けず、ジョグテーブル部６１０のテーブル板６１１に感圧センサや圧電素子などを複数配設した構成など、回転体部６００の所定以上の押圧操作により押し下げられるジョグテーブル部６１０の押動状況を検出可能ないずれの構成でもできる。なお、圧電素子を用い、押圧の入力操作における押圧力に応じた電圧を情報処理手段４００へ出力させ、押圧状況をも認識させるようにしてもよい。
【００５２】
一方、規制手段９００は、図８、図１３および図１４に示すように、台座部７１０の天板部７１１の下面に、回転規制窓部７２２Ｂに臨んで配設されている。そして、規制手段９００は、情報処理手段４００に接続され、情報処理手段４００による制御により、入力操作にて回転移動される回転体部６００の回転移動を規制する。この規制手段９００は、取付基板９１０と、接触部材としての規制歯車９２０と、回転駆動手段９３０と、を備えている。また、回転駆動手段９３０は、電動モータ９３１と、駆動伝達手段９３２と、を備えている。さらに、駆動伝達手段９３２は、出力プーリ９３２Ａと、中間回転体９３２Ｂと、無端ベルト９３２Ｃと、を備えている。
【００５３】
取付基板９１０は、長手板状に形成され、台座部７１０の天板部７１１の下面に取付固定されている。そして、取付基板９１０には、長手方向の一端部に位置して取付基板９１０の厚さ方向に軸方向を有する第１の軸支シャフト９１１と、長手方向の中間部に位置して軸方向が第１の軸支シャフト９１１と略平行な第２の軸支シャフト９１２とが突設されている。また、取付基板９１０の長手方向の他端部には、貫通孔９１３が設けられている。そして、取付基板９１０の第１の軸支シャフト９１１には、規制歯車９２０が回転自在に軸支されている。また、第２の軸支シャフト９１２には、中間回転体９３２Ｂが回転自在に軸支されている。この中間回転体９３２Ｂは、中間プーリ９３２Ｂ１および中間歯車９３２Ｂ２が同軸上で一体的に連結されて構成されている。さらに、取付基板９１０の貫通孔９１３には、電動モータ９３１の本体部９３１Ａが嵌合固定されている。そして、中間回転体９３２Ｂの中間プーリ９３２Ｂ１と、電動モータ９３１の出力軸９３１Ｂに一体的に設けられ中間プーリ９３２Ｂ１より径寸法が小さい出力プーリ９３２Ａとに、無端ベルト９３２Ｃが掛け渡されている。
【００５４】
なお、無端ベルト９３２Ｃの内周面および中間プーリ９３２Ｂ１の外周面には、空回りしにくい構成、例えば凹凸が設けられていることが好ましい。また、図５および図１３は、説明の都合上、中間歯車９３２Ｂ２の径寸法より小さい中間プーリ９３２Ｂ１を例示しているが、この限りではない。例えば、中間回転体９３２Ｂは、取付基板９１０を介して両面側に中間プーリ９３２Ｂ１および中間歯車９３２Ｂ２がそれぞれ位置し、一面側で規制歯車９２０に係合され他面側で無端ベルト９３２Ｃが掛け渡される構成としてもよい。このような構成では、中間プーリ９３２Ｂ１の径寸法を中間歯車９３２Ｂ２より大きくすることが可能となり、規制歯車９２０の回転数に対して電動モータ９３１の出力軸９３１Ｂの回転数がより多くなる比率の構成が容易に得られる。
【００５５】
そして、電動モータ９３１は、情報処理手段４００に接続され、情報処理手段４００から供給される電力により出力軸９３１Ｂが回転する。この電動モータ９３１の出力軸９３１Ｂの回転駆動が駆動伝達手段９３２を介して規制歯車９２０に伝達され、規制歯車９２０が係合する第１の歯車６２３に伝達され、規制手段９００は、回転体部６００を回転させる駆動力を作用させる。すなわち、詳細は後述するが、回転体部６００が利用者の入力操作により回転されると、回転移動検出手段８１０にて検出する回転状況に応じて、電動モータ９３１の出力軸９３１Ｂを適宜空回りさせたり、無端ベルトを適宜空回りさせたりするなどにより、入力操作時に負荷が適宜掛かる状態となっている。
【００５６】
一方、振動モータ９５０は、台座部７１０の天板部７１１の下面に配設されている。この振動モータ９５０は、情報処理手段４００に接続され、情報処理手段４００による制御、すなわち供給される電力の電流値の大きさが制御されて適宜振動し、回転体部６００を入力操作する利用者に振動が伝達される状態に回転体部６００の略全体を振動させる。本実施の形態では、回転体部６００を振動させる構成として振動モータ９５０を用いて説明するが、振動させる構成としては例えば圧電素子を利用し印加する電圧の電圧値を制御する構成とするなど、いずれの構成で振動させてもよい。
【００５７】
（情報処理装置の内部構成）
次に、上述した情報処理装置の内部構成について、図面を参照して説明する。
情報処理装置３００は、上述したように、第１の表示装置３１０と、ドライブ３３０と、操作手段であるスイッチ部３４０と、スイッチ装置５００と、通信手段３５０と、記憶手段３６０と、情報処理手段４００と、などを備えている。
【００５８】
第１の表示装置３１０は、情報処理手段４００に接続され、情報処理手段４００から出力される制御信号により、情報の特性や処理状況などを表示する。具体的には、例えば情報として音楽用ＣＤであるＣＤ−ＤＡに情報として複数記憶された音楽データを処理する場合、ＣＤ−ＤＡに記録された音楽データの曲数や再生処理している音楽データの順番であるトラック番号、記録された全音楽データの総再生時間や音楽データ毎の再生時間あるいは再生中の音楽データの再生時間、再生中の音楽データのテンポ、音楽データの再生位置およびその前後における音量や所定の周波数以下である低音域の音量、再生中の音楽データの通常時の再生速度に対する速度の割合などを表示する。この第１の表示装置３１０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなど、各種表示装置が利用できる。
【００５９】
ドライブ３３０は、情報処理手段４００に接続され、情報処理手段４００から出力される制御信号により、記録媒体が着脱可能に装着され、記録媒体に記録された情報を読み取る読取処理、さらには記録媒体へ情報を記録する記録処理を実施する。このドライブ３３０は、上述した各種記録媒体に対応可能に構成されている。すなわち、例えば記録媒体が光ディスクである場合には光ピックアップを備えた構成、メモリカードなどの場合にはコネクタを有し処理のためのドライバを備えた構成などである。なお、ドライブ３３０は、１つの構成に限らず、各種記録媒体に対応可能に複数の構成を備えたものとしてもよい。
【００６０】
スイッチ部３４０は、情報処理手段４００に接続され、利用者による入力操作に対応して所定の操作信号を情報処理手段４００へ出力し、情報処理手段４００で情報を処理する状況を設定させる。このスイッチ部３４０は、上述したように、操作部材である、イジェクトボタン３４１と、モード調整部３４２と、テンポ調整部３４３と、キュー／ループボタン３４４と、クイックリターンボタン３４５と、サーチ設定部３４６と、キューボタン３４７と、再生／停止ボタン３４８と、ループ操作部３４９と、などを備えている。
【００６１】
イジェクトボタン３４１は、押下する入力操作により所定の操作信号が情報処理手段４００へ出力する。この操作信号の出力により、ドライブ３３０に設けられた図示しない搬送機構部を情報処理手段４００が制御し、ドライブ３３０にクランプ位置に装着されている記録媒体を本体ケース３０１外へ挿入口３０２を介して搬出させる処理を実施させる。
【００６２】
モード調整部３４２は、情報処理装置３００の操作モードを切り換えるジョグモードボタン３４２Ａと、このジョグモードボタン３４２ＡがＯＮ状態の時に、再生開始時および停止時の再生スピードの加減速を設定するスピード調整部３４２Ｂと、を備えている。そして、ジョグモードボタン３４２Ａは、詳細は後述するが、スイッチ装置５００の押圧検出手段８２０による再生状況の変更設定を切り換える設定をする。すなわち、このジョグモードボタン３４２Ａを押下する（ＯＮ状態）と、押圧検出手段８２０による入力操作を有効すなわち入力操作に応じて情報処理させる旨の操作信号を出力する。また、ＯＦＦ状態にすると、この押圧検出手段８２０の入力操作を無効すなわち入力操作による信号に対応した情報処理を禁止する旨の操作信号を出力する。また、スピード調整部３４２Ｂは、回動操作可能に構成され、利用者による回動操作の実施により、再生の立ち上がりスピードおよび再生停止過程における減速スピードを可変設定する。
【００６３】
テンポ調整部３４３は、入力操作により、再生する音楽データの再生テンポを可変設定する。このテンポ調整部３４３は、テンポ調整つまみ３４３Ａと、マスターテンポボタン３４３Ｂと、テンポレンジ切換ボタン３４３Ｃと、を備えている。テンポ調整つまみ３４３Ａは、入力操作により摺動可能に構成され、再生される音楽データの再生テンポを所定範囲で可変設定する。マスターテンポボタン３４３Ｂは、入力操作により再生音の音程を変えずにスピードのみを可変設定する。テンポレンジ切換ボタン３４３Ｃは、入力操作によりテンポ調整つまみ３４３Ａのレンジを可変設定する。
【００６４】
キュー／ループボタン３４４は、例えば、ドライブ３３０を適宜動作させ、他の記録媒体であるメモリカードなどとも情報処理可能とし、利用者の入力操作による押下に応じて、一方の記録媒体である光ディスク毎に応じてキューポイントまたはループポイントにおけるデータの記録の指示に基づく操作信号を出力する。すなわち、キュー／ループボタン３４４は、メモリーボタン３３４Ａと、コールボタン３３４Ｂと、を備えている。メモリーボタン３３４Ａは、入力操作により、光ディスク毎に応じてキューポイントまたはループポイントに関する情報をメモリカードなどに記録させる指示に基づく操作信号を出力する。コールボタン３３４Ｂは、入力操作により、メモリカードなどに記録された光ディスク毎のキューポイントまたはループポイントを選択して読み取られる指示に基づく操作信号を出力する。
【００６５】
クイックリターンボタン３４５は、スイッチ装置５００における再生状況の変更に関する処理内容を選択する。例えば、このクイックリターンボタン３４５は、再生する情報の処理停止または処理開始、および、再生する情報の再生位置の変更のうち少なくともいずれか一方を選択する。具体的には、ジョグモードボタン３４２ＡがＯＮ状態であるとして、クイックリターンボタン３４５がＯＦＦ状態の場合、再生する情報の処理停止または処理開始に関する処理内容を設定する。すなわち、利用者による回転体部６００の押圧または接触の入力操作によりスイッチ装置５００の押圧検出手段８２０が押圧または接触を検出すると、再生する情報の処理停止または処理開始を実施させる。一方、クイックリターンボタン３４５が、ＯＮ状態の場合、再生する情報の再生位置をキューポイントに移動する変更に関する処理内容を設定する。すなわち、利用者による回転体部６００の押圧または接触の入力操作によりスイッチ装置５００の押圧検出手段８２０が押圧または接触を検出すると、再生する情報の再生位置をキューポイントへ移動させる処理を実施させる。
【００６６】
さらに、ジョグモードボタン３４２Ａおよびクイックリターンボタン３４５の双方がＯＮ状態の場合、再生する情報の再生位置をキューポイントに移動する変更に関する処理内容、および、再生する情報の処理位置を前または後に移動する変更に関する処理内容の双方の処理内容を設定する。すなわち、再生する情報の再生位置をキューポイントに移動する変更に関する処理内容を設定するとともに、詳細は後述するスイッチ装置５００の回転移動検出手段８１０にて検出する回転体部６００の回転状況に応じて、再生する情報の処理位置の前または後への移動を変更可能に設定する。より具体的には、利用者による回転体部６００の押圧または接触の入力操作によりスイッチ装置５００の押圧検出手段８２０が押圧または接触を検出すると、再生する情報の再生位置をキューポイントへ移動させる。さらに、この押圧または接触操作を維持しつつ回転体部６００の回転操作により回転移動検出手段８１０が検出する回転体部６００の回転量に応じて、再生する情報の再生位置を前または後への移動、いわゆるスクラッチなどが実施される。なお、ジョグモードボタン３４２Ａおよびクイックリターンボタン３４５のいずれかがＯＦＦである場合、再生する情報の再生位置をキューポイントに移動する変更に関する処理内容、および、再生データの処理位置を前または後に移動する変更に関する処理内容の双方の処理内容は設定されない。
【００６７】
サーチ設定部３４６は、入力操作により、記録媒体に記録された情報の再生させる位置を前送りあるいは後戻りさせる処理を設定する。すなわち、サーチボタン３４６は、トラックサーチボタン３４６Ａと、サーチボタン３４６Ｂと、を備えている。トラックサーチボタン３４６Ａは、複数の音楽データが記録されている場合には、１回の押下操作で現在再生あるいは再生待機となっている音楽データに対して１つ後あるいは１つ前の音楽データの最初の位置から再生あるいは再生待機状態に設定する。サーチボタン３４６Ｂは、押下操作が継続されている間、現在再生あるいは再生待機となっている位置を前側あるいは後側に変更する設定をする。
【００６８】
キューボタン３４７は、主に所定のキューポイントを登録する設定をする。例えば、光ディスクの再生一時停止中に利用者が押下操作することで、所定のキューポイントの指示に基づく操作信号を出力、すなわち一時停止している位置をキーポイントとして登録させる処理を実施させる。
再生／停止ボタン３４８は、入力操作により、情報の再生処理を開始あるいは再生処理を停止する処理を実施させる操作信号を出力する。
【００６９】
ループ操作部３４９は、入力操作により、情報を繰り返し再生させる処理を設定する。このループ操作部３４９は、ループイン／リアルタイムキューボタン３４９Ａと、ループアウト／アウトアジャストボタン３４９Ｂと、リループ／イグジットボタン３４９Ｃと、タイムモード／オートキュー切換ボタン３４９Ｄと、を備えている。ループイン／リアルタイムキューボタン３４９Ａは、情報を再生している際に押下操作されると、繰り返し再生の期間における始点の指示に基づく操作信号を出力、すなわち押下操作された時点を始点として設定させる処理をする。ループアウト／アウトアジャストボタン３４９Ｂは、情報を再生している際に押下操作されると、繰り返し再生の期間における終点の指示に基づく操作信号を出力、押下操作された時点を終点として設定させる処理をする。リループ／イグジットボタン３４９Ｃは、押下操作されると、ループイン／リアルタイムキューボタン３４９Ａおよびループアウト／アウトアジャストボタン３４９Ｂにて指示された期間における情報の繰り返し再生の指示に基づく操作信号を出力、すなわち押下操作により繰り返し再生を実施あるいは繰り返し再生の処理を解除する設定をする。タイムモード／オートキュー切換ボタン３４９Ｄは、ＯＮ状態である場合、自動的に情報の再生が開始される位置での無音部分を省略するように設定する。
【００７０】
スイッチ装置５００は、上述したように、第２の表示装置３２０と、回転移動検出手段８１０および押圧検出手段８２０を備えた移動状況検出手段８００と、回転駆動手段９３０と、振動モータ９５０と、を有している。
第２の表示装置３２０は、情報処理手段４００に接続され、情報処理手段４００から出力される制御信号により、情報の処理状況を表示する。この第２の表示装置３２０は、第１の表示装置３１０と同様に各種表示装置が利用される。そして、第２の表示装置３２０は、図１９に示すように、再生位置表示部３２１と、キューポイント位置表示部３２２と、音声メモリ状態表示部３２３と、ジョグタッチ検出表示部３２４と、モード表示部３２５と、を備えている。
【００７１】
再生位置表示部３２１は、第２の表示装置３２０の表示領域における外周部分に位置し、幅が狭い扇型の発光素子が略環状の仮想軌跡に沿ってマトリックス状に配列されて構成されている。この再生位置表示部３２１は、アナログレコードの回転速度に対応させて発光素子が点灯し、記録媒体の再生位置を仮想的に表示する。例えば、回転速度が毎分３３回転に設定されているアナログレコードが回転するのと同様の速度で、再生位置も略円形状の仮想軌跡に沿って回転を繰り返す。
キューポイント位置表示部３２２は、第２の表示装置３２０の表示領域における再生位置表示部３２１の内側に位置し、再生位置表示部３２１と略同様に、幅の狭く略線状の扇型の発光素子が略円形状の仮想軌跡に沿って配列されて構成されている。このキューポイント位置表示部３２２は、利用者によるスイッチ部３４０のキューボタン３４７が押下操作されることで、再生位置表示部３２１で表示するアナログレコードに対応する仮想的な再生位置に対応して円周方向でのキューポイント位置を表示する。
【００７２】
音声メモリ状態表示部３２３は、第２の表示装置３２０の表示領域におけるキューポイント位置表示部３２２の内側に位置し、略リング状の発光素子にて構成されている。この音声メモリ状態表示部３２３は、例えば光ディスクの記録面にある傷や塵埃、あるいは記録された情報の部分的な損傷などにより読み取った情報に欠陥があった場合など、後述する記憶手段３６０に記憶された再生対象の情報の情報量が所定量以下となったことを点滅などの表示により報知する。
ジョグタッチ検出表示部３２４は、第２の表示装置３２０の表示領域における音声メモリ状態表示部３２３の内側に位置し、幅の比較的に広い扇型の発光素子が略環状に配列されて構成されている。このジョグタッチ検出表示部３２４は、スイッチ装置５００の回転体部６００を利用者が押圧または接触することで所定の表示をする。モード表示部３２５は、第２の表示装置３２０の表示領域における中央部分に略円板状に形成され、スイッチ部３４０のモード調整部３４２にて設定された操作モードがジョグモードである場合にその旨を表示して報知する。
【００７３】
移動状況検出手段８００の回転移動検出手段８１０は、上述したように、情報処理手段４００に接続され、回転体部６００の回転状況を検出して回転状況に応じた信号を情報処理手段４００へ出力する。具体的には、利用者が回転体部６００を回転操作することで、ジョグテーブル部６１０の第１の歯車６２３に係合する検出歯車８１２とともに回転検出板８１３が回転し、回転検出センサ８１４で回転検出板８１３の回転状況すなわち回転速度および回転方向を検出し、回転状況に関する検出信号を情報処理手段４００へ出力する。
【００７４】
移動状況検出手段８００の押圧検出手段８２０は、上述したように、情報処理手段４００に接続され、回転体部６００の利用者による押圧や接触状況を検出して押圧や接触状況に応じた信号を情報処理手段４００へ出力する。具体的には、利用者による回転体部６００の押圧や接触操作にてジョグテーブル部６１０とともにコイルばね７１３Ｈや緩衝部材７５２などの復元力に抗して回転動作部７５０が押し下げられ、回転動作部７５０の押圧膨出部７５１がテープ状スイッチ８２１のスイッチ８２１Ａを閉成することで、押圧操作に対応した操作信号である所定の検出信号として情報処理手段４００へ出力する。なお、圧電素子などを備え、押圧状況すなわち押圧する圧力をも検出可能である場合にはその押圧力に関する検出信号を出力する。
【００７５】
回転駆動手段９３０は、上述したように、情報処理手段４００に接続され、情報処理手段４００による制御にて電動モータ９３１を適宜動作させ、利用者が回転体部６００を入力操作する際に、所定の位置で適宜負荷が変動する状態とする。具体的には、情報処理手段４００から適宜供給される電力により電動モータ９３１の出力軸９３１Ｂが回転駆動し、この電動モータ９３１の出力軸９３１Ｂの回転駆動が駆動伝達手段９３２を介して規制歯車９２０に回転駆動が伝達され、規制歯車９２０が係合する第１の歯車６２３を介して回転体部６００を回転させる駆動力を作用させる。このことにより、回転操作される回転体部６００の回転時の抵抗が、情報処理手段４００により駆動制御された電動モータ９３１の駆動状態に応じて増減し、利用者は回転体部６００を回転操作する際に情報処理手段４００で処理する情報の特性に対応して異なる抵抗感、いわゆるクリック感様の抵抗感が提供される。
【００７６】
振動モータ９５０は、上述したように、情報処理手段４００に接続され、情報処理手段４００による制御にて、所定の大きさの電流値となる電力が供給されることで適宜振動する。この振動は、利用者が回転体部６００を入力操作する際に振動が感じ取られるとともに、振動により移動状況検出手段８００が入力操作されたと判断する誤作動を生じない大きさである。
【００７７】
通信手段３５０は、情報処理手段４００に接続され、情報処理手段４００による制御により、例えばネットワークを介して情報を配信可能に記憶するサーバ装置やパーソナルコンピュータなどの端末装置に接続し、記憶されている情報を取得し、情報処理手段４００へ出力する。ここで、ネットワークとしては、例えば、ＴＣＰ（Transmission Control Protocol）／ＩＰ（Internet Protocol）などの汎用のプロトコルに基づくインターネット、イントラネット、ＬＡＮ(Local Area Network)、無線媒体により情報が送受信可能な複数の基地局がネットワークを構成する通信回線網や放送網などのネットワーク、さらには、情報を直接送受信するための媒体となる無線媒体自体などが例示できる。ここで、無線媒体としては、電波、光、音波、電磁波などのいずれの媒体をも適用できる。なお、通信手段３５０で取得され情報処理手段４００へ出力された情報は、記憶手段３６０で適宜読み出し可能に記憶される。
【００７８】
記憶手段３６０は、例えば、ＨＤ（Hard Disk）などの磁気ディスク、ＤＶＤ（Digital Versatile Disc）などの光ディスク、メモリカードなど、各種記録媒体に読み出し可能に記憶するドライブやドライバなどの構成の他、半導体メモリなどが適用できる。この記憶手段３６０は、情報処理装置３００全体を動作制御するＯＳ（Operating System）上に展開される各種プログラムなどをも記憶している。さらに、記憶手段３６０は、情報処理手段４００が演算の際に処理する信号を一時的に記憶可能に構成されている。すなわち、記憶手段３６０は、メモリとしても機能する。
【００７９】
情報処理手段４００は、例えばＣＰＵ（Central Processing Unit）を備え、図示しない各種入出力ポートである、第１の表示装置３１０や第２の表示装置３２０が接続される表示制御ポートと、ドライブ３３０が接続されるドライブ制御ポートと、スイッチ部３４０や移動状況検出手段８００が接続される入力ポートと、回転駆動手段９３０が接続される駆動制御ポートと、通信手段３５０が接続される通信ポートと、記憶手段３６０が接続される記憶ポートと、などを有している。そして、情報処理手段４００は、各種プログラムとして、状況認識手段４１０と、情報取得手段４２０と、動作制御手段４３０と、処理手段４４０と、表示制御手段４５０と、などを備えている。
【００８０】
状況認識手段４１０は、スイッチ部３４０およびスイッチ装置５００の入力操作により出力される操作信号に基づく入力操作状況、および、情報の特性を認識する。この状況認識手段４１０は、操作信号認識手段４１１と、特性認識手段４１２と、を備えている。
【００８１】
操作信号認識手段４１１は、スイッチ部３４０から出力される各種操作信号、移動状況検出手段８００の回転移動検出手段８１０および押圧検出手段８２０から出力される検出信号を認識し、利用者により入力操作された情報の処理条件や処理状況の変更要求を認識し、情報の処理状態を設定する。この処理状態の設定内容に関する信号は、情報取得手段４２０、動作制御手段４３０、処理手段４４０、表示制御手段４５０などへ適宜出力される。なお、押圧検出手段８２０から押圧力に関する検出信号を認識した場合には、再生されている状態で押圧力の検出信号を認識すると、押圧力の大きさに対応、例えば押圧力が大きくなるに従って再生速度が低減する速度が速くなる処理状態に設定する。また、回転体部６００を押圧して再生が一時停止している状態から徐々に押圧力が小さくなると、その押圧力の大きさに対応、すなわちゆっくり押圧力を小さくする場合に比して速く押圧力を小さくする場合の方が通常の再生速度に戻すまでの時間が短くなる処理状態に設定する。
【００８２】
特性認識手段４１２は、処理対象として情報取得手段４２０で取得する情報の特性、例えば情報が音楽データである場合には音量、音程、テンポなど、画像データの場合には明暗、コントラスト、色彩などを認識し特性情報として取得する。これら情報の特性は、その情報に関連付けられて記録媒体に記録された特性に関する情報の他、例えば処理手段４４０で情報を再生するための処理の際に周波数などに基づいて認識し、特性に関する特性情報として取得してもよい。例えば、特性認識手段４１２は、図２０、図２１および図２３（Ａ）に示すように、音量を認識し、認識した特性の位置を、情報を処理する処理時間の時間軸における位置、すなわち再生開始位置からの時間情報である経過時間を、記録情報に含まれる時間情報である分や秒、あるいはフレーム数に基づいて認識する。この認識した特性とその位置である時間情報とを関連付けて特性情報として生成する。また、特性認識手段４１２は、例えば、所定の周波数以下である低音域の音量として、ローパスフィルタにより所定の周波数以下の成分を取得してその音量が所定の以上の大きさ、特にピーク値を特性として認識する。
【００８３】
さらに、特性認識手段４１２は、特性である低音域のピーク値が存在する位置における再生開始位置からの時間情報である経過時間を、記録情報に含まれる時間情報である分や秒、あるいはフレーム数に基づいて認識する。具体的には、例えば図２０に示すように、所定値以上の音量となる複数のピークが存在する場合、各ピークに対応して再生開始から識別番号などを順次設定するとともに経過時間を順次認識して関連付けて特性情報におけるピーク情報を生成する。さらに、特性認識手段４１２は、上述したキューボタン３４７の入力操作により出力される操作信号に基づいて、キューポイントに関する情報を設定する。すなわち、操作信号に基づいて、図２１に示すように、再生状態が一時停止されて入力操作された再生位置をキューポイントとして設定し、キューポイント情報を生成する。これら生成されたピーク情報やキューポイント情報などの特性情報は、記憶手段３６０に順次記憶される。また、特性認識手段４１２は、認識した情報の特性に関する特性情報を表示制御手段４５０へも適宜出力する。
【００８４】
ここで、再生位置の認識としては、以下の演算により算出されて認識される。すなわち、再生開始時点から現在の経過トラック時間までに再生された総フレーム数を算出する。具体的には、記録情報に含まれる時間情報である分Ｍin、秒Ｓec、フレーム数Ｆｎを検出し、以下に示す数１により総フレーム数Ｎを算出する。
【００８５】
（数１）
Ｎ＝（Ｍin×６０×７５）＋（Ｓec×７５）＋Ｆｎ
【００８６】
算出した総フレーム数Ｎを所定の係数Ｋで除算し、再生位置情報となる余りの数Ａを算出する。ここで、係数Ｋは、記録媒体である光ディスクのディスク毎に決められた設定値である。例えば、ＣＤの場合には、ＣＤの１秒間のフレーム数７５と、アナログレコードプレーヤの回転速度３３ＲＰＭ（１秒間に０．５５回転）とより、Ｋ＝１３５に設定される。このように、アナログレコードプレーヤに対応する略円形状の軌跡における再生位置が認識される。この再生位置に基づいてピーク位置やキューポイントなどの特性情報における情報の特性の位置が設定される。なお、キューポイント情報は、再生位置に関する情報とともに、再生開始位置からの回転体部６００の回転数に関する回転数情報を有している。すなわち、再生位置がキューポイントからある程度進行して、再生位置が数回転後の所定の位置である場合には、進行した分の数で回転体部６００の回転を戻さないとキューポイント位置に再生位置が戻らない状態となる。具体的には、総フレーム数Ｎを係数Ｋで除算した値が再生開始位置からの回転数であり、余りが回転軌跡上における位置となる。
【００８７】
情報取得手段４２０は、操作信号認識手段４１１から出力される所定の処理状況の設定内容に関する信号、すなわち処理対象となる所定の情報を読み取る旨の指示信号を認識すると、ドライブ３３０や記憶手段３６０を動作制御し、記録媒体に記憶された所望の情報を読み取らせ、取得する。また、情報取得手段４２０は、記録媒体に記録された情報の記録状況、例えば再生時間や記録された情報の数などの記録情報を取得する。これら記録情報の取得としては、例えば、記録媒体がドライブ３３０に装着されたことをドライブ３３０から出力される信号に基づいて認識、あるいは、スイッチ部３４０などの入力操作などにて処理対象が記憶手段３６０に記憶された情報であることを認識すると、ドライブ３３０や記憶手段３６０を動作制御して、記録されているプレイリストやＴＯＣ（Table Of Contents）情報などを読み取らせて取得する。さらに、情報取得手段４２０は、例えばスイッチ部３４０などの入力操作や情報処理装置３００に接続された端末装置などから出力される要求信号に基づいて、通信手段３５０を動作制御し、サーバ装置や端末装置から取得要求対象の情報を受信させて取得する。
【００８８】
動作制御手段４３０は、状況認識手段４１０で認識した状況、すなわち操作信号に基づく入力操作状況および情報の特性に基づいて、回転駆動手段９３０や振動モータ９５０を制御し、回転体部６００が振動する状態や入力操作にて回転操作される際の回転移動時に負荷が生じる状態として、状況認識手段４１０で認識する状況を回転体部６００を動作させることで利用者に報知する。この動作制御手段４３０は、規制制御手段４３１と、振動制御手段４３２と、を備えている。そして、この動作制御手段４３０と、上述した取付基板９１０、規制歯車９２０および回転駆動手段９３０とにより、あるいは振動モータ９５０とにより、本発明の動作発生手段が構成される。
【００８９】
規制制御手段４３１は、操作信号認識手段４１１から出力される処理状況の設定内容に関する信号に基づいて、回転駆動手段９３０を動作制御する。すなわち、操作信号認識手段４１１により、回転移動検出手段８１０の回転検出センサ８１４から出力され検出信号に基づいて、回転体部６００の回転方向と回転速度とを認識すると、規制制御手段４３１は回転速度の速さに対応して回転体部６００の回転する方向への回転に対する抵抗が増減する状態に回転駆動手段９３０の電動モータ９３１を回転駆動させる処理をする。具体的には、回転体部６００がゆっくり回転される場合には、利用者が回転操作する際の抵抗感があまり感じられないように、回転体部６００の第１の歯車６２３に係合する規制歯車９２０が第１の歯車６２３の回転速度と略同等の回転速度で対応する回転方向に回転する状態に電動モータ９３１に電力を供給させる。また、回転体部６００が速く回転される場合には、利用者が回転操作する際の抵抗感が強く感じられるように、規制歯車９２０が第１の歯車６２３の回転速度より遅い回転速度で対応する回転方向に回転する状態に電動モータ９３１に電力を供給、あるいは規制歯車９２０が回転しない状態とすべく電力の供給を停止、さらにはより強い抵抗感を提供するために第１の歯車６２３の回転方向に対応する回転方向とは反対方向に回転する状態に電動モータ９３１に所定の電力を供給する。
【００９０】
さらに、規制制御手段４３１は、回転移動検出手段８１０の回転検出センサ８１４から出力され検出信号に基づいて回転方向が例えば回転回り方向であるフォワード回転とは反対回転であるリバース方向である場合、電動モータ９３１に供給する電力を大きくする。すなわち、規制制御手段４３１は、回転体部６００の回転方向がリバース方向である場合、回転方向がフォワード方向である場合よりも大きな駆動力を回転体部６００に作用させる。このことにより、回転体部６００の第１の歯車６２３および規制歯車９２０の回転速度に差が生じ、電動モータ９３１の回転駆動する出力軸が供給される電力に対応することなく回転速度差分で適宜空転あるいは無端ベルト９３２Ｃが回転速度差分で適宜空転するなどの状態が生じ、回転操作による回転体部６００の回転に対して回転速度に対応して抵抗が増減する。
【００９１】
さらに、規制制御手段４３１は、特性認識手段４１２で認識した情報の特性に基づいて、規制手段９００の回転駆動手段９３０を動作制御する。すなわち、規制制御手段４３１は、ピーク位置やキューポイントの位置などの特性の位置で、入力操作にて回転される回転体部６００の回転に対する負荷が変動する状態に、回転駆動手段９３０の電動モータ９３１を回転駆動させる処理をする。
具体的には、図２２に示すように、特性の位置を略中心として、回転体部６００が回転する回転方向に対する前後の所定角度±Δθで、入力操作にて回転する回転体部６００の回転抵抗が増減する状態に、電動モータ９３１の駆動力を回転体部６００に作用させる。すなわち、図２２（Ｂ）に示すように、回転体部６００の回転方向において、特性の位置から手前の所定角度−Δθの位置から特性の位置までは、回転操作に対して抵抗が加わる規制処理を実施し、特性の位置から回転方向の先の所定角度＋Δθの位置までは、回転操作に対して抵抗を減少、すなわち回転操作を補助する状態に補助処理を実施する。
【００９２】
これら規制処理および補助処理としては、図２２（Ａ）に示すように、特性の位置の手前−Δθの位置で回転操作に対して大きく抵抗が生じ、特性の位置で負荷が生じず、特性の位置の先＋Δθの位置で回転操作を補助する状態に、徐々に負荷が低減する状態とする。すなわち、電動モータ９３１の駆動として、例えば−Δθの位置で、回転体部６００の回転に対応する方向とは逆方向に規制歯車９２０が所定の回転速度で回転する状態に電力を供給して逆回転の駆動力を作用させる。そして、回転体部６００の回転位置が特性の位置に到達するまで、規制歯車９２０の逆方向への回転速度が徐々に低下して逆回転の駆動力が徐々に低減する状態に供給する電力を制御する。さらに、回転体部６００の回転位置が特性の位置に到達した時点で、規制歯車９２０が回転しない状態すなわち駆動力を作用させない状態とする。そして、回転体部６００の回転位置が特性の位置を通過して＋Δθの位置まで、回転体部６００の回転位置が特性の位置で回転体部６００の回転に対応する方向に第１の歯車６２３での回転速度と規制歯車９２０の回転速度とが略同一となる状態まで徐々に規制歯車９２０の回転速度を増大させて駆動力を作用させる。
このように回転体部６００の回転操作に対して比較的に短い回転角度±Δθで回転に抵抗が生じる状態から回転を補助する状態に駆動力を作用させることで、特性の位置で、いわゆるクリック感様の操作感覚を利用者に提供する状態となる。なお、電動モータ９３１の供給する電力を制御すなわち電動モータ９３１の駆動制御として、電流制御や電圧制御など、各種制御方法が利用できる。
【００９３】
また、振動制御手段４３２は、特性認識手段４１２で認識した情報の特性に基づいて、振動モータ９５０を動作制御すなわち振動させる。この振動制御手段４３２は、上述したように演算して認識する再生位置に基づいて、情報の特性の位置を再生位置の認識と同様に認識する。そして、振動制御手段４３２は、入力操作にて回転される回転体部６００の回転に対応して移動される処理位置における情報の特性に対応、例えば、図２３（Ａ）に示す音量の大きさに対応して、図２３（Ｂ）に示す振動モータ９５０を振動させる大きさが変動する状態に、供給させる電力の電流値を設定する。また、振動制御手段４３２は、例えば別途設けられたスイッチ部３４０の切替により、図２４あるいは図２５に示すように、処理位置である再生位置における特性情報に基づいて音量の大きさに対応する電流値が振動モータ９５０に流れる状態に供給する電力を設定する。すなわち、回転体部６００を押圧している状態で回転が停止し再生が一時停止する状態では、その一時停止している期間Ｔ1（図２４（Ｂ））では発音手段２１０からは音楽データが再生されないので振動させないように供給する電力を一時停止させる処理と、一時停止している期間Ｔ2（図２５（Ｂ））では再生位置における音量の大きさに対応する電流値を供給して振動させる処理と、を切り替え可能としている。
【００９４】
処理手段４４０は、例えばＤＳＰ（Digital Signal Processor）などを備え、情報取得手段４２０で取得した処理対象の情報を、操作信号認識手段４１１から出力される処理状況の設定内容に関する信号に応じて、出力手段２００から上述した設定内容のように適宜出力される状態に再生処理する。この処理した情報は、出力手段２００に適宜出力され、設定内容に対応して再生される。すなわち、通常に再生したり、回転体部６００の回転や押圧あるいは接触操作、スイッチ部３４０の入力操作による設定内容に応じて、情報の再生位置や再生速度、テンポ、音程などを設定あるいは変更する状態に処理する。
【００９５】
表示制御手段４５０は、第１の表示装置３１０および第２の表示装置３２０を制御し、操作信号認識手段４１１から出力される処理状況の設定内容に関する信号や特性認識手段４１２で認識した情報の特性に関する各種情報に対応して、設定内容や情報の処理状況を適宜表示させる。
【００９６】
〔再生システムの動作〕
次に、上述した再生システム１００における情報を処理する動作について、図面を参照して説明する。なお、この動作処理において、記録媒体として音楽データが記録された光ディスクを利用した場合について説明するが、上述したように、処理する記録媒体はこの限りではない。
【００９７】
まず、図２６に示すように、あらかじめ再生システム１００に電力が供給され、挿入口３０２に光ディスクなどの記録媒体が挿入されると（ステップＳ１０１Ａ）、情報処理手段４００がドライブ３３０を動作制御する。すなわち、例えばオートローディング機構により、本体ケース３０１内のドライブ３３０の所定の位置に記録媒体を装着させる。そして、情報処理手段４００は、記録媒体がドライブ３３０に装着されたことを認識すると、情報取得手段４２０により、ドライブ３３０を動作制御して記録媒体に記録された記録情報を読み取らせる。さらに、表示制御手段４５０により第１の表示装置３１０を制御して、記録情報を表示させる（ステップＳ１０２Ａ）。この後、情報処理手段４００は、スイッチ部３４０が利用者により入力操作されて出力する操作信号を操作信号認識手段４１１で認識し（ステップＳ１０３Ａ）、入力された処理状態を設定する（ステップＳ１０４Ａ）。なお、ステップＳ１０３ＡおよびステップＳ１０４Ａは以降の処理においても実施され、再生処理が終了するまで操作信号に基づいて処理状態が設定される。
【００９８】
この後、処理対象の音楽データの選択待機状態となる（ステップＳ１０５Ａ）。すなわち、いずれの音楽データが選択されたか否かを判断する。そして、処理対象の音楽データが選択されたことを認識すると、情報取得手段４２０によりドライブ３３０や記憶手段３６０を制御して、選択された音楽データを読み取る（ステップＳ１０６Ａ）。さらに、表示制御手段４５０は、選択された音楽データの再生時間やトラック番号あるいはプレイリストにおける登録された番号など、音楽データに関する情報を表示させる。この後、処理対象の音楽データの再生待機状態となる（ステップＳ１０７Ａ）。すなわち、再生／停止ボタン３４８が入力操作されたか否かを判断し、再生／停止ボタン３４８の入力操作による再生要求を認識すると、処理手段４４０により出力手段２００で出力可能に音楽データを処理する再生処理を実施し、順次出力手段へ処理した音楽データを出力し、音声として発音手段２１０から出力させる（ステップＳ１０８Ａ）。このステップＳ１０８Ａの再生処理の際、情報処理手段４００の特性認識手段４１２により、音楽データの特性、例えばリズムであるテンポや低音域の音量などを認識する（ステップＳ１０９Ａ）。さらに、再生処理状況、例えば再生速度やステップＳ１０９Ａで認識した特性などを、第１の表示装置３１０および第２の表示装置３２０に表示させるとともに、特性に対応して振動モータ９５０を振動させる処理をする（ステップＳ１１０Ａ）。
【００９９】
このステップＳ１１０Ａにおいて、第２の表示装置３２０における再生処理状況の表示としては、上述した数１に基づいて演算された余りの数Ａに関する再生位置情報に基づいて再生位置を認識する。そして、第２の表示装置３２０の再生位置表示部３２１における１２時の位置を基準として、算出した再生位置情報に相当する時計回りの方向の位置の発光素子を点灯させ、再生位置を表示させる。なお、再生中、演算される再生位置情報はフレーム数の増加により変化するため、表示される再生位置は、略円形状の仮想軌跡を回転する状態に移動する。また、振動モータ９５０の振動処理としては、再生位置情報および特性情報に基づいて、処理手段４４０で現在処理している再生位置における特性、例えば音量の大きさに対応して振動制御手段４３２で振動モータ９５０に供給する電力の電流値の大きさを設定して電力を供給させる。このことにより、回転体部６００が入力操作されていない状態でも出力手段２００における再生状況に対応して振動モータ９５０が振動して回転体部６００が振動している。したがって、例えば利用者が回転体部６００に手をかざす状態とすると、回転体部６００が再生処理している音楽データと対応して振動していることを認識できる。
【０１００】
また、利用者がスイッチ部３４０のキューボタン３４７を押下操作することで、この操作信号を操作信号認識手段４１１が認識し情報の処理状態を設定する信号を出力する。この信号を認識した表示制御手段４５０は、信号の認識した時点における再生位置情報をキューポイント情報とし、キューポイント位置表示部３２２における１２時の位置を基準として、キューポイント情報に相当する時計回りの方向の位置する発光素子を点灯させ、キューポイントを表示させる。この演算されたキューポイント情報は、記憶手段３６０に適宜記憶される。
【０１０１】
そして、処理手段４４０で音楽データを再生している際に、図２７に示すように、回転体部６００が押圧操作されたか否かを判断する（ステップＳ１１１Ａ）。具体的には、操作信号認識手段４１１が押圧検出手段８２０から操作信号が出力されたか否かを判断する。このステップＳ１１１Ａで押圧操作を認識しない場合には、ステップＳ１０８Ａに戻って再生処理を継続する。また、ステップＳ１１１Ａで押圧操作を認識すると、操作信号認識手段４１１は、クイックリターンボタン３４５がＯＮ状態であるか否かを判断する（ステップＳ１１２Ａ）。すなわち、操作信号認識手段４１１は、回転体部６００の押圧操作の検出信号による再生状況を変更させる変更内容が、処理の停止または開始に関する変更内容、または、再生位置の変更に関する変更内容のうちのどちらの変更内容であるかを判断する。このステップＳ１１２Ａにおいて、クイックリターンボタン３４５が押圧操作されてＯＮ状態であり、再生状況の変更内容が再生位置の変更に関する変更内容であると判断した場合、処理手段４４０は、再生速度を０％にして再生位置をキューポイントへ移動する処理をする（ステップＳ１１３Ａ）。一方、ステップＳ１１２Ａにおいて、クイックリターンボタン３４５がＯＮ状態ではない、すなわちＯＦＦ状態であり、再生状況の変更内容が処理の停止または開始に関する変更内容であると判断した場合、処理手段４４０は、スイッチ部３４０のスピード調整部３４２Ｂにて設定され、操作信号認識手段４１１にて認識された再生停止過程における減速スピードに応じて、再生速度を徐々に０％にして再生処理を停止する処理をする（ステップＳ１１４Ａ）。
【０１０２】
これらステップＳ１１３ＡまたはステップＳ１１４Ａの後、操作信号認識手段４１１は、回転体部６００の回転移動検出手段８１０からの検出信号に基づいて、回転体部６００が回転操作されたか否かを判断する（ステップＳ１１５Ａ）。このステップＳ１１５Ａで回転されていないと判断すると、操作信号認識手段４１１は、回転体部６００の押圧状態が継続しているか否かを判断する（ステップＳ１１６Ａ）。一方、ステップＳ１１５Ａで回転されたと判断すると、操作信号認識手段４１１は、検出信号に基づいて回転方向が回転回り方向であるフォワード回転（ＦＷＤ）か否かを判断する（ステップＳ１１７Ａ）。そして、ステップＳ１１７Ａでフォワード回転であると判断すると、回転移動検出手段８１０からの検出信号における回転速度を認識する（ステップＳ１１８Ａ）。さらに、規制制御手段４３１は、ステップＳ１１７ＡおよびステップＳ１１８Ａで認識した回転方向および回転速度に基づいて、電動モータ９３１を所定の回転方向で所定の回転速度で回転させ、回転体部６００の回転速度が速くなるしたがって規制歯車９２０の回転速度が遅くなり、速度差が大きくなって回転操作の負荷が大きくなる状態に規制処理を実施する制御をする（ステップＳ１１９Ａ）。この後、処理手段４４０は、回転速度に対応してフォワード方向へ再生速度が増大する状態に再生処理する（ステップＳ１２０Ａ）。
【０１０３】
このステップＳ１２０Ａの後、回転体部６００の回転操作により再生位置が進行し、低音域の音量がピークとなる位置やキューポイント位置などの設定された所定の特性の位置に到達したか否かを判断する（ステップＳ１２１Ａ）。すなわち、回転体部６００の回転操作に対応して移動する再生位置が、特性の位置の±Δθの位置に到達したか否かを判断する。そして、ステップＳ１２１Ａで、再生位置がまだ特性位置に対して±Δθの位置に到達していないと判断した場合には、ステップＳ１１６Ａに進んでそのまま処理を継続する。一方、ステップＳ１２１Ａで、再生位置が特性位置に対して±Δθの位置に到達したと判断すると、いわゆるクリック感様の回転操作感覚が生じる状態に、回転体部６００の回転操作を規制する処理をする（ステップＳ１２２Ａ）。すなわち、回転体部６００の回転により再生位置が特性の位置に対して−Δθの位置に到達した時点で、回転体部６００の回転に対応する方向とは逆方向に規制歯車９２０が所定の回転速度で回転する状態に、規制手段９００の電動モータ９３１に電力を適宜供給して逆回転の駆動力を作用させる。そして、回転操作により回転体部６００の回転が進行し、再生位置が特性の位置に到達するまでは、規制歯車９２０の逆方向への回転速度が徐々に低下して逆回転の駆動力が徐々に低減する状態に電動モータ９３１を駆動制御する。さらに、回転体部６００の回転操作が進行して再生位置が特性の位置に到達した時点で、規制歯車９２０が回転しない状態すなわち駆動力を作用させない状態とし、回転体部６００のさらなる回転操作により再生位置が特性の位置を通過して＋Δθの位置まで、回転体部６００の回転に対応する方向に第１の歯車６２３での回転速度と規制歯車９２０の回転速度とが略同一となる状態まで徐々に規制歯車９２０の回転速度を増大させて駆動力を作用させる状態に電動モータ９３１を駆動制御する。このステップＳ１２２Ａの後、ステップＳ１１６Ａへ進む。
【０１０４】
一方、ステップＳ１１７Ａでフォワード回転ではない、すなわちリバース回転（ＲＥＶ）であると判断すると、回転移動検出手段８１０からの検出信号における回転速度を認識する（ステップＳ１２３Ａ）。さらに、規制制御手段４３１は、ステップＳ１１７ＡおよびステップＳ１２３Ａで認識した回転方向および回転速度に基づいて、電動モータ９３１を所定の回転方向で所定の回転速度で回転させ、回転体部６００の回転速度が速くなるしたがって規制歯車９２０の回転速度が遅くなり、速度差が大きくなって回転操作の負荷が大きくなる状態に規制処理を実施する制御をする（ステップＳ１２４Ａ）。なお、このステップＳ１２４Ａでの規制処理では、ステップＳ１１９Ａにおける規制処理より強い規制となる状態としている。すなわち、回転方向がフォワード方向の場合よりも大きな駆動力を回転体部６００に作用する状態に規制処理する。この後、処理手段４４０は、回転速度に対応してリバース方向へ再生速度が増大する状態に再生処理し（ステップＳ１２５Ａ）、ステップＳ１２１Ａに進んで、設定された所定の特性の位置でクリック感様の回転操作感覚が得られる状態に回転規制を適宜実施させる。
【０１０５】
そして、ステップＳ１１６Ａで回転体部６００の押圧状態が継続していると判断すると、ステップＳ１１５Ａに戻っていわゆるスクラッチ処理を継続する。一方、このステップＳ１１６Ａで、回転体部６００の押圧状態が継続していないと判断すると、処理手段４４０は、操作信号認識手段４１１で設定しているスピード調整部３４２Ｂの再生の立ち上がり速度に応じて再生速度を１００％にする処理をする（ステップＳ１２６Ａ）。
【０１０６】
この後、情報処理手段４００は、操作信号認識手段４１１により再生処理の停止要求、すなわち再生／停止ボタン３４８の入力操作による再生停止を認識したか否かを判断する（ステップＳ１２７Ａ）。そして、このステップＳ１２７Ａで再生停止を認識しないと判断すると、ステップＳ１０８Ａに戻って再生処理を継続する。一方、ステップＳ１２７Ａで再生停止を認識したと判断すると、この再生を停止し、再生処理を終了する。
【０１０７】
〔再生システムの作用効果〕
上記第1実施形態における再生システム１００のスイッチ装置５００では、利用者の入力操作により回転体部６００が回転あるいは押圧または接触されると、その入力操作に対応した操作信号である検出信号を情報処理手段４００へ出力し、情報処理手段４００で音楽データや映像データなどの情報を入力操作状況に応じて所定の処理状態で処理させる。そして、検出信号に基づいて処理されて出力手段２００で出力される音量や低音域の音量ピークなどの情報の特性、あるいは、スイッチ部３４０の入力操作で設定され回転体部６００の押圧操作にて再生位置を処理手段４４０が変更させる所定の位置であるキューポイントなどの設定位置に基づいて、回転体部６００が入力操作される入力操作状況で移動する再生位置が位置することを認識、あるいは、情報の特性に基づき入力操作状況に対応する出力状況に対応して、回転体部６００を動作、例えばクリック感様の移動規制や振動を実施する。
【０１０８】
例えば、上述したように、利用者の入力操作によりスイッチ装置５００の回転体部６００が回転され、回転移動検出手段８１０が回転体部６００の入力操作状況を検出して対応する検出信号を出力することで、規制手段９００により回転体部６００の回転を規制する規制処理を実施する。このことにより、例えば回転体部６００をゆっくり回転させる回転操作と、速く回転させる回転操作で異なる回転操作による抵抗感が得られ、あたかもレコードプレーヤのターンテーブルを回転させているかのような操作感が得られる。したがって、従来のレコードプレーヤと同様の操作感覚で各種記録媒体の音楽データを再生処理する奏法が得られ、入力操作による情報処理が良好に得られる。
【０１０９】
また、例えば上述したように、利用者の入力操作により回転体部６００を回転あるいは押圧または接触する入力操作に対応して出力される検出信号に基づいて処理され出力手段２００で出力される低音域の音量ピークなどの情報の特性に基づいて回転体部６００を動作、例えばクリック感様の移動規制を実施する。このことにより、例えば、比較的に大きな音量でかつ特殊な照明空間でＤＪ奏法を実施して音楽データや映像データを再生処理する際に、音楽データのリズムや低音域のピークなどの特性の位置、あるいは画像の切り替わり位置などの特性が変化する位置を移動規制にて聴覚や視覚以外の感覚で認識できる。したがって、音楽データや映像データにおける特定の特性の再生や再生タイミング、特性の切り替わりタイミングなどが特に厳格に要求されるＤＪ奏法で、良好な特性の認識によるより有効的な再生処理が実施でき、入力操作による情報処理が良好に得られる。さらには、感触で情報の特性を認識でき、処理状態を入力操作にて適宜設定・変更できる情報処理装置３００として構成している。このため、スイッチ装置５００を視認することなく情報処理条件の設定操作ができ、情報処理装置３００をいわゆる電子楽器のように操作でき、汎用性の向上も容易に図れる。
【０１１０】
さらに、例えば上述したように、スイッチ部３４０の入力操作で設定され回転体部６００の押圧操作にて再生位置を処理手段４４０が変更させる所定の位置であるキューポイントに、回転体部６００の回転入力操作による操作信号により処理手段４４０が処理する再生位置が位置すると、回転体部６００を動作、例えばクリック感様の移動規制を実施する。このことにより、上述したように、処理した情報を出力する環境を問わず、スイッチ部３４０の入力操作にて設定した処理状況であるキューポイント位置などの設定位置を、移動規制にて聴覚や視覚以外の感覚で認識できる。したがって、感覚でも設定位置を認識できることから、音楽データや映像データにおける特定の設定位置での再生や再生タイミング、特性の切り替わりタイミングなどが特に厳格に要求されるＤＪ奏法で、良好な設定位置の認識によるより有効的な再生処理が実施でき、入力操作による情報処理が良好に得られる。さらには、感触で設定位置を認識できるので、スイッチ装置５００を視認することなく情報処理条件の設定操作ができ、情報処理装置３００をいわゆる電子楽器のように操作でき、汎用性の向上も容易に図れる。
【０１１１】
また、例えば上述したように、利用者の入力操作により回転体部６００を回転あるいは押圧または接触する入力操作に対応して出力される検出信号に基づいて処理され出力手段２００で出力される低音域の音量ピークなどの情報の特性に基づいて、情報処理手段４００で処理されて出力手段２００で出力される低音域の音量ピークなどの情報の特性に対応した出力状態に対応して回転体部６００を振動させる。このことにより、上述したように、処理した情報を出力する環境を問わず、音楽データのリズムや低音域のピークなどの特性の位置、あるいは画像の切り替わり位置などの特性が変化する位置を振動にて聴覚や視覚以外の感覚で認識できる。したがって、情報の処理状況を容易に認識できるため、音楽データや映像データにおける特定の特性の再生や再生タイミング、特性の切り替わりタイミングなどが特に厳格に要求されるＤＪ奏法で、良好な特性の認識によるより有効的な再生処理が実施でき、入力操作による情報処理が良好に得られる。
【０１１２】
さらに、例えば上述したように、利用者の入力操作により回転体部６００を回転あるいは押圧または接触する入力操作に対応して出力される検出信号に基づいて処理されて出力手段２００で出力される情報の音量の大きさなどの特性と操作信号とに基づき、検出信号の入力操作状況に対応して情報処理手段４００で処理されて出力手段２００で出力される情報の出力状態に対応して、回転体部６００を振動させる。このことにより、上述したように、処理した情報を出力する環境を問わず、出力状態に対応して振動するので、情報の出力状況を聴覚や視覚以外の感覚で認識できる。したがって、情報の出力状況を容易に認識できるため、音楽データや映像データにおける特定の特性の再生や再生タイミング、特性の切り替わりタイミングなどが特に厳格に要求されるＤＪ奏法で、良好な出力状況の認識によるより有効的な再生処理が実施でき、入力操作による情報処理が良好に得られる。
【０１１３】
そして、レコード盤を再生するためのレコードプレーヤにおけるターンテーブルが模擬され、回転操作による回転状況により再生状況が変更される回転体部６００における回転移動を規制する構成に適用している。このため、特に音楽や映像再生において、入力操作に対応して再生状況が変動するディスクジョッキのＤＪ奏法で利用されるスイッチ装置５００であることから、より入力操作の感覚が重要視されるので、より適切で良好な奏法が得られる。さらに、情報処理を実施する情報処理手段４００と、情報処理の処理状況を設定するスイッチ装置５００とを一体構成としている。このため、情報処理の際に接続する作業が不要で、情報処理が直ちに実行できるとともに、回転体部６００をレコードプレーヤにおけるターンテーブルを模擬した形状にデザイン化し、意匠性も向上できる。
【０１１４】
また、情報処理装置３００における情報処理手段４００として、入力操作状況を認識する操作信号認識手段４１１および情報の特性を認識する特性認識手段４１２とを備え取得した情報の特性や入力操作状況を認識する状況認識手段４１０と、情報を取得する情報取得手段４２０と、入力操作によりスイッチ装置５００やスイッチ部３４０から出力される操作信号に対応して出力手段２００で所定の出力状態に情報を処理する処理手段４４０と、を設けている。このため、情報の処理状況を設定する操作信号に基づき情報を処理させるとともに、情報の内容や処理状況を容易に認識できるように感覚を提供するための再生処理する情報の特性や設定の認識が、簡単な構成で容易に得られる。さらには、状況認識手段４１０として、構成としている。
【０１１５】
さらに、情報処理手段４００として、移動規制する規制手段９００を情報の特性や設定に対応して制御する規制制御手段４３１、および、回転体部６００を振動させる振動モータ９５０を情報の特性や設定に対応して制御する振動制御手段４３２を設けている。このため、例えばプログラム構成として回路基板やＣＰＵなどの１つの構成として、情報処理および情報の特性に対応した感触を提供する構成が得られ、構成の簡略化が容易図れる。
【０１１６】
そして、情報処理手段４００として、プログラムにて各種構成を構築している。このため、例えばパーソナルコンピュータやＣＰＵなどにプログラムを組み込む、さらにはプログラムを記録した記録媒体を用いることで、上記した処理構成が容易に得られ、製造性の向上や利用の拡大も容易に図れる。
【０１１７】
また、特性認識手段４１２で認識する情報の特性やキューポイントなどの設定位置として、処理手段４４０で情報を処理して出力手段２００で出力する再生時間の時間軸における位置すなわち再生位置に対応して認識し、回転操作にて回転体部６００を回転操作して処理手段４４０で処理する処理状況である再生位置が移動する移動領域に特性の位置や特性が変化する位置が位置する場合、その位置を通過する際にクリック感様の移動規制を実施している。このため、再生時間に基づく再生位置の認識に基づいて特性の位置や設定の位置を認識するので、簡単で容易な演算で確実に特性位置や設定位置で感触を提供でき、処理する情報の特性の対応した感触の提供が容易にできる。
【０１１８】
さらに、同様にして認識した特性位置を出力状態に対応すなわち再生位置に対応して振動による感触を提供する構成として、回転体部６００に配設した振動モータ９５０に、情報の特性、例えば低音域のピークの大きさや音量の大きさに対応する電流値の電流を流して回転体部６００を特性の大きさに対応して振動させる。このため、簡単な構成で特性に対応した感触を提供できる構成が容易に得られる。さらには、例えば携帯電話などの小型の電気機器に利用される振動モータを利用できるので、小型化も容易に図れる。
【０１１９】
さらに、スイッチ装置５００の回転体部６００の回転操作や押圧あるいは接触操作に対応した操作信号を出力する構成として、回転移動検出手段８１０と、押圧検出手段８２０とをスイッチ装置５００に設けている。このため、上述したようなＤＪ奏法としてレコードプレーヤを操作するのと同様に再生位置の変更や再生位置の一時停止などができるスイッチ装置５００が容易に得られる。さらには、ＤＪ奏法時に所定の位置までピックアップを移動させる操作として、キューポイントの設定により押圧操作でキューポイントまで再生位置を移動させる処理も得られる。したがって、より使い勝手を向上できるとともに、音楽データや映像データとしてデジタル処理により、従来のＤＪ奏法よりより容易で迅速にキューポイント位置まで移動させることもできる。
【０１２０】
そして、回転移動検出手段８１０として、上述したような光センサ８１４Ａを備えた回転検出センサ８１４により回転操作を検出する構成としている。このため、簡単な構成で容易に回転操作を検出できる。特に、第１の歯車６２３に係合する検出歯車８１２に一体的に設けた回転検出板８１３の回転状態を検出する構成としているので、回転操作時に重くならない程度の軽い抵抗感があり、良好な操作感が得られるとともに、反転など特にＤＪ奏法などで急激に変化する入力操作を確実に検出できる。
【０１２１】
また、押圧検出手段８２０として、テープ状スイッチ８２１を利用する構成としている。このため、簡単な構成で容易に押圧操作を認識できる。さらに、回転体部６００の周縁近傍に円周上に配設している。このため、回転体部６００のいずれの位置を押圧しても押圧操作を認識できるとともに、単に接触のみならず多少の押圧感覚が得られるので、良好な操作感が得られる。さらには、上述したように、押圧操作と回転操作との双方を検出して異なる状態に情報の処理を設定する構成では、回転操作のみに対応する情報の処理を実施させることも可能となり、異なる入力操作および組み合わせの入力操作による異なる処理形態が設定可能で、汎用性を向上できる。
【０１２２】
そして、入力操作に対応した感触を生じさせる移動規制や情報の特性に対応した感触を生じさせる移動規制として、入力操作される回転体部６００の移動の負荷が変動する状態、すなわち回転操作時の負荷が変動する状態に制御している。このため、例えば回転時の抵抗が増減する状態にするなど、簡単な構成で特性に対応した感触を提供できる構成が容易得られる。
【０１２３】
また、負荷が変動する状態として、回転体部６００の回転移動を規制する規制処理および回転移動を補助する補助処理を適宜実施することで負荷が変動する状態としている。このため、入力操作に対応した感触や情報の特性に対応した感触として、移動規制や移動補助の異なる処理内容により異なる感触を提供でき、汎用性の向上や使い勝手の向上などが容易に得られる。さらには、上述したように、短い期間で移動規制してから移動補助する制御により、いわゆるクリック感様の感触を容易に提供できる。すなわち、乗り越えるリブを設けるなどの物理的な構成を設けなくて、リブを乗り越えるなどと同様のクリック感を提供でき、制御によりクリック感を提供するので、いずれの位置に物理的な構成と同様のクリック感を生じさせることができる。
【０１２４】
そして、規制処理としては、回転移動の抵抗が増大する状態としている。このため、例えばレコードプレーヤと同様の入力操作に対応する操作感覚や特性あるいは設定に対応する感触を良好に提供できるとともに、この感触を良好に提供する構成を容易に構築できる。
【０１２５】
また、補助処理としては、回転移動の補助が低減して負荷が増大する状態に処理している。このため、入力操作が補助されつつ感触が伝達され、容易な入力操作を提供可能となる。
【０１２６】
そして、負荷を変動させる構成として、第１の歯車６２３に係合する規制歯車９２０を回転駆動手段９３０にて回転制御している。このため、簡単な構成で容易に回転入力操作時の負荷が変動する状態を提供できるとともに、回転状態を検出するための第１の歯車６２３を利用するので、より構成の簡略化が容易に得られる。
【０１２７】
さらに、感触を提供する情報の特性や回転入力操作状況および情報の処理状況を表示している。すなわち、音量の大きさや低音域の音量のピーク状態、テンポなどの特性は第１の表示装置３１０で表示され、回転入力操作状況として設定位置や再生位置として第２の表示装置３２０で表示させ、処理状況として再生時間や速度などを第１の表示装置３１０で表示させている。このため、感触とともに表示でも利用者が確認でき、より容易に情報を再生処理するための処理状況の設定が容易、すなわち回転体部６００の回転操作や押圧あるいは接触操作、さらにはスイッチ部３４０の入力操作などの入力操作が容易にできる。
【０１２８】
また、情報処理装置３００に出力手段２００を接続して処理した情報を再生出力させるシステム構成の再生システム１００を構築している。このため、出力手段２００の構成として各種装置構成を選択利用できるので、例えば野外や室内、広い空間や狭い空間などの出力させる環境に対応して再生させることができ、汎用性を向上できる。
【０１２９】
〔第1実施形態の効果〕
上記第１実施形態では、利用者による回転体部６００の入力操作に対応した操作信号を情報処理手段４００へ出力し、情報処理手段４００で音楽データや映像データなどの情報を入力操作状況に応じて所定の処理状態で処理させ、操作信号に基づいて処理されて出力手段２００で出力される音量や低音域の音量ピークなどの情報の特性、あるいは、スイッチ部３４０の入力操作で設定され回転体部６００の押圧操作にて再生位置を処理手段４４０が変更させる所定の位置であるキューポイントなどの設定位置に基づいて、回転体部６００が入力操作される入力操作状況で移動する再生位置が位置することを認識、あるいは、情報の特性に基づき入力操作状況に対応する出力状況に対応して、回転体部６００を動作、例えばクリック感様の移動規制や振動を実施する。このため、入力操作に対応あるいは情報の特性に対応して移動規制や振動などの感触が得られ、入力操作による情報処理が良好に得られる。
【０１３０】
また、情報処理装置３００として特性に対応した動作をするスイッチ装置５００を構成している。このため、良好な特性の認識によるより有効的な情報処理が実施でき、特に音楽データや映像データにおける特定の特性の再生や再生タイミング、特性の切り替わりタイミングなどが特に厳格に要求されるＤＪ奏法で有効で、良好なＤＪ奏法が得られる。
【０１３１】
＜第２実施形態＞
以下、本発明の第２実施形態における再生装置としての再生システムの構成について説明する。なお、本発明におけるスイッチ装置としては、再生システムに利用される構成の他、いずれの情報を処理する構成、さらには情報を処理する構成のみならず、いずれのスイッチ構成にも適用可能である。
本実施形態は、基本構成（再生システム１００、出力手段２００、情報処理装置３００）が前述した第１実施形態と同様である（図２〜図１９参照）。このため、重複する説明は省略する。
一方、本実施形態において、情報処理装置３００が前述した第１実施形態と同様なスイッチ装置５００および情報処理手段４００を備えるが、各々は第１実施形態の構成とは一部相違する。このため以下には本実施形態におけるスイッチ装置５００および情報処理手段４００について説明する。
【０１３２】
(スイッチ装置の構成)
図２８において、スイッチ装置５００は、操作手段を構成する操作子としての回転体部６００と、軸支台座部７００と、移動状況検出手段８００と、動作発生手段としての回転駆動手段９３０（規制手段９００、図１３，図１４参照）と、を備えている。すなわち、第１実施形態のスイッチ装置５００に対して振動モータ９５０が省略されている。
【０１３３】
（情報処理手段）
図２８において、情報処理手段４００は、例えばＣＰＵ（Central Processing Unit）を備え、図示しない各種入出力ポートである、第１の表示装置３１０や第２の表示装置３２０が接続される表示制御ポートと、ドライブ３３０が接続されるドライブ制御ポートと、スイッチ部３４０や移動状況検出手段８００が接続される入力ポートと、回転駆動手段９３０が接続される駆動制御ポートと、通信手段３５０が接続される通信ポートと、記憶手段３６０が接続される記憶ポートと、などを有している。そして、情報処理手段４００は、各種プログラムとして、操作信号認識手段４１１と、情報取得手段４２０と、特性認識手段４１２と、規制制御手段４３１と、処理手段４４０と、表示制御手段４５０と、などを備えている。
【０１３４】
操作信号認識手段４１１は、スイッチ部３４０から出力される各種操作信号、移動状況検出手段８００の回転移動検出手段８１０および押圧検出手段８２０から出力される検出信号を認識し、利用者により入力操作された情報の処理条件や処理状況の変更要求を認識し、情報の処理状態を設定する。この処理状態の設定内容に関する信号は、情報取得手段４２０、規制制御手段４３１、処理手段４４０、表示制御手段４５０などへ適宜出力される。なお、押圧検出手段８２０から押圧力に関する検出信号を認識した場合には、再生されている状態で押圧力の検出信号を認識すると、押圧力の大きさに対応、例えば押圧力が大きくなるに従って再生速度が低減する速度が速くなる処理状態に設定する。また、回転体部６００を押圧して再生が一時停止している状態から徐々に押圧力が小さくなると、その押圧力の大きさに対応、すなわちゆっくり押圧力を小さくする場合に比して速く押圧力を小さくする場合の方が通常の再生速度に戻すまでの時間が短くなる処理状態に設定する。
【０１３５】
情報取得手段４２０は、操作信号認識手段４１１から出力される所定の処理状況の設定内容に関する信号、すなわち処理対象となる所定の情報を読み取る旨の指示信号を認識すると、ドライブ３３０や記憶手段３６０を動作制御し、記録媒体に記憶された所望の情報を読み取らせ、取得する。また、情報取得手段４２０は、記録媒体に記録された情報の記録状況、例えば再生時間や記録された情報の数などの記録情報を取得する。これら記録情報の取得としては、例えば、記録媒体がドライブ３３０に装着されたことをドライブ３３０から出力される信号に基づいて認識、あるいは、スイッチ部３４０などの入力操作などにて処理対象が記憶手段３６０に記憶された情報であることを認識すると、ドライブ３３０や記憶手段３６０を動作制御して、記録されているプレイリストやＴＯＣ（Table Of Contents）情報などを読み取らせて取得する。さらに、情報取得手段４２０は、例えばスイッチ部３４０などの入力操作や情報処理装置３００に接続された端末装置などから出力される要求信号に基づいて、通信手段３５０を動作制御し、サーバ装置や端末装置から取得要求対象の情報を受信させて取得する。
【０１３６】
特性認識手段４１２は、情報取得手段４２０で処理対象として取得した情報の特性、例えば情報が音楽データである場合には音量、音程、テンポなど、画像データの場合には明暗、コントラスト、色彩などを認識し特性情報として取得する。これら情報の特性は、その情報に関連付けられて記録媒体に記録された特性に関する情報の他、例えば処理手段４４０で情報を再生するための処理の際に周波数などに基づいて認識し、特性に関する特性情報として取得してもよい。例えば、所定の周波数以下である低音域の音量として、ローパスフィルタにより所定の周波数以下の成分を取得してその音量が所定の以上の大きさ、特にピーク値を特性として認識する。さらに、特性認識手段４１２は、特性である低音域のピーク値が存在する位置における再生開始位置からの時間情報である経過時間を、記録情報に含まれる時間情報である分や秒、あるいはフレーム数に基づいて認識する。具体的には、例えば図２０に示すように、所定値以上の音量となる複数のピークが存在する場合、各ピークに対応して再生開始から識別番号などを順次設定するとともに経過時間を順次認識して関連付けて特性情報におけるピーク情報を生成する。これら生成されたピーク情報は、記憶手段３６０に順次記憶される。また、特性認識手段４１２は、認識した情報の特性に関する特性情報を表示制御手段４５０へも適宜出力する。
【０１３７】
規制制御手段４３１は、特性認識手段４１２で認識した情報の特性に基づいて、規制手段９００の回転駆動手段９３０を動作制御する。すなわち、規制制御手段４３１は、再生開始時点から現在の経過トラック時間までに再生された総フレーム数を算出する。
この総フレーム数を算出する手順は、前述した第１実施形態において数１、図２２およびその説明で述べた通りであり、ここでは重複する説明は省略する
【０１３８】
処理手段４４０は、例えばＤＳＰ（Digital Signal Processor）などを備え、情報取得手段４２０で取得した処理対象の情報を、操作信号認識手段４１１から出力される処理状況の設定内容に関する信号に応じて、出力手段２００から上述した設定内容のように適宜出力される状態に再生処理する。この処理した情報は、出力手段２００に適宜出力され、設定内容に対応して再生される。すなわち、通常に再生したり、回転体部６００の回転や押圧あるいは接触操作、スイッチ部３４０の入力操作による設定内容に応じて、情報の再生位置や再生速度、テンポ、音程などを設定あるいは変更する状態に処理する。
【０１３９】
表示制御手段４５０は、第１の表示装置３１０および第２の表示装置３２０を制御し、操作信号認識手段４１１から出力される処理状況の設定内容に関する信号や特性認識手段４１２で認識した情報の特性に関する各種情報に対応して、設定内容や情報の処理状況を適宜表示させる。
【０１４０】
〔再生システムの動作〕
次に、第２実施形態の再生システム１００における情報を処理する動作について、図面を参照して説明する。なお、この動作処理において、記録媒体として音楽データが記録された光ディスクを利用した場合について説明するが、上述したように、処理する記録媒体はこの限りではない。図２９は、再生システムの情報処理動作における再生処理の動作を示すフローチャートである。図３０は、再生システムの情報処理動作における再生状況の変更処理を示すフローチャートである。
【０１４１】
まず、図２９に示すように、あらかじめ再生システム１００に電力が供給され、挿入口３０２に光ディスクなどの記録媒体が挿入されると（ステップＳ１０１Ｂ）、情報処理手段４００がドライブ３３０を動作制御する。すなわち、例えばオートローディング機構により、本体ケース３０１内のドライブ３３０の所定の位置に記録媒体を装着させる。そして、情報処理手段４００は、記録媒体がドライブ３３０に装着されたことを認識すると、情報取得手段４２０により、ドライブ３３０を動作制御して記録媒体に記録された記録情報を読み取らせる。さらに、表示制御手段４５０により第１の表示装置３１０を制御して、記録情報を表示させる（ステップＳ１０２Ｂ）。この後、情報処理手段４００は、スイッチ部３４０が利用者により入力操作されて出力する操作信号を操作信号認識手段４１１で認識し（ステップＳ１０３Ｂ）、入力された処理状態を設定する（ステップＳ１０４Ｂ）。なお、ステップＳ１０３ＢおよびステップＳ１０４Ｂは以降の処理においても実施され、再生処理が終了するまで操作信号に基づいて処理状態が設定される。
【０１４２】
この後、処理対象の音楽データの選択待機状態となる（ステップＳ１０５Ｂ）。すなわち、いずれの音楽データが選択されたか否かを判断する。そして、処理対象の音楽データが選択されたことを認識すると、情報取得手段４２０によりドライブ３３０や記憶手段３６０を制御して、選択された音楽データを読み取る（ステップＳ１０６Ｂ）。さらに、表示制御手段４５０は、選択された音楽データの再生時間やトラック番号あるいはプレイリストにおける登録された番号など、音楽データに関する情報を表示させる。この後、処理対象の音楽データの再生待機状態となる（ステップＳ１０７Ｂ）。すなわち、再生／停止ボタン３４８が入力操作されたか否かを判断し、再生／停止ボタン３４８の入力操作による再生要求を認識すると、処理手段４４０により出力手段２００で出力可能に音楽データを処理する再生処理を実施し、順次出力手段へ処理した音楽データを出力し、音声として発音手段２１０から出力させる（ステップＳ１０８Ｂ）。このステップＳ１０８Ｂの再生処理の際、情報処理手段４００の特性認識手段４１２により、音楽データの特性、例えばリズムであるテンポや低音域の音量などを認識する（ステップＳ１０９Ｂ）。さらに、再生処理状況、例えば再生速度やステップＳ１０９Ｂで認識した特性などを、第１の表示装置３１０および第２の表示装置３２０に表示させる処理をする（ステップＳ１１０Ｂ）。ここで、第２の表示装置３２０における再生処理状況の表示としては、上述した数１に基づいて演算された余りの数Ａに関する再生位置情報に基づいて再生位置を認識する。そして、第２の表示装置３２０の再生位置表示部３２１における１２時の位置を基準として、算出した再生位置情報に相当する時計回りの方向の位置の発光素子を点灯させ、再生位置を表示させる。なお、再生中、演算される再生位置情報はフレーム数の増加により変化するため、表示される再生位置は、略円形状の仮想軌跡を回転する状態に移動する。
【０１４３】
また、利用者がスイッチ部３４０のキューボタン３４７を押下操作することで、この操作信号を操作信号認識手段４１１が認識し情報の処理状態を設定する信号を出力する。この信号を認識した表示制御手段４５０は、信号の認識した時点における再生位置情報をキューポイント情報とし、キューポイント位置表示部３２２における１２時の位置を基準として、キューポイント情報に相当する時計回りの方向の位置する発光素子を点灯させ、キューポイントを表示させる。この演算されたキューポイント情報は、記憶手段３６０に適宜記憶される。
【０１４４】
そして、処理手段４４０で音楽データを再生している際に、図３０に示すように、回転体部６００が押圧操作されたか否かを判断する（ステップＳ１１１Ｂ）。具体的には、操作信号認識手段４１１が押圧検出手段８２０から操作信号が出力されたか否かを判断する。このステップＳ１１１Ｂで押圧操作を認識しない場合には、ステップＳ１０８Ｂに戻って再生処理を継続する。また、ステップＳ１１１Ｂで押圧操作を認識すると、操作信号認識手段４１１は、クイックリターンボタン３４５がＯＮ状態であるか否かを判断する（ステップＳ１１２Ｂ）。すなわち、操作信号認識手段４１１は、回転体部６００の押圧操作の検出信号による再生状況を変更させる変更内容が、処理の停止または開始に関する変更内容、または、再生位置の変更に関する変更内容のうちのどちらの変更内容であるかを判断する。このステップＳ１１２Ｂにおいて、クイックリターンボタン３４５が押圧操作されてＯＮ状態であり、再生状況の変更内容が再生位置の変更に関する変更内容であると判断した場合、処理手段４４０は、再生速度を０％にして再生位置をキューポイントへ移動する処理をする（ステップＳ１１３Ｂ）。一方、ステップＳ１１２Ｂにおいて、クイックリターンボタン３４５がＯＮ状態ではない、すなわちＯＦＦ状態であり、再生状況の変更内容が処理の停止または開始に関する変更内容であると判断した場合、処理手段４４０は、スイッチ部３４０のスピード調整部３４２Ｂにて設定され、操作信号認識手段４１１にて認識された再生停止過程における減速スピードに応じて、再生速度を徐々に０％にして再生処理を停止する処理をする（ステップＳ１１４Ｂ）。
【０１４５】
これらステップＳ１１３ＢまたはステップＳ１１４Ｂの後、操作信号認識手段４１１は、回転体部６００の回転移動検出手段８１０からの検出信号に基づいて、回転体部６００が回転操作されたか否かを判断する（ステップＳ１１５Ｂ）。このステップＳ１１５Ｂで回転されていないと判断すると、操作信号認識手段４１１は、回転体部６００の押圧状態が継続しているか否かを判断する（ステップＳ１１６Ｂ）。一方、ステップＳ１１５Ｂで回転されたと判断すると、操作信号認識手段４１１は、検出信号に基づいて回転方向が回転回り方向であるフォワード回転（ＦＷＤ）か否かを判断する（ステップＳ１１７Ｂ）。そして、ステップＳ１１７Ｂでフォワード回転であると判断すると、回転移動検出手段８１０からの検出信号における回転速度を認識する（ステップＳ１１８Ｂ）。この後、処理手段４４０は、回転速度に対応してフォワード方向へ再生速度が増大する状態に再生処理する（ステップＳ１１９Ｂ）。
【０１４６】
このステップＳ１１９Ｂの後、回転体部６００の回転操作により再生位置が進行し、低音域の音量がピークとなるなどの所定の特性の位置に到達したか否かを判断する（ステップＳ１２０Ｂ）。すなわち、回転体部６００の回転操作に対応して移動する再生位置が、特性の位置の±Δθの位置に到達したか否かを判断する。そして、ステップＳ１２０Ｂで、再生位置がまだ特性位置に対して±Δθの位置に到達していないと判断した場合には、ステップＳ１１６Ｂに進んでそのまま処理を継続する。一方、ステップＳ１２０Ｂで、再生位置が特性位置に対して±Δθの位置に到達したと判断すると、いわゆるクリック感様の回転操作感覚が生じる状態に、回転体部６００の回転操作を規制する処理をする（ステップＳ１２１Ｂ）。すなわち、回転体部６００の回転により再生位置が特性の位置に対して−Δθの位置に到達した時点で、回転体部６００の回転に対応する方向とは逆方向に規制歯車９２０が所定の回転速度で回転する状態に、規制手段９００の電動モータ９３１に電力を適宜供給して逆回転の駆動力を作用させる。そして、回転操作により回転体部６００の回転が進行し、再生位置が特性の位置に到達するまでは、規制歯車９２０の逆方向への回転速度が徐々に低下して逆回転の駆動力が徐々に低減する状態に電動モータ９３１を駆動制御する。さらに、回転体部６００の回転操作が進行して再生位置が特性の位置に到達した時点で、規制歯車９２０が回転しない状態すなわち駆動力を作用させない状態とし、回転体部６００のさらなる回転操作により再生位置が特性の位置を通過して＋Δθの位置まで、回転体部６００の回転に対応する方向に第１の歯車６２３での回転速度と規制歯車９２０の回転速度とが略同一となる状態まで徐々に規制歯車９２０の回転速度を増大させて駆動力を作用させる状態に電動モータ９３１を駆動制御する。このステップＳ１２１Ｂの後、ステップＳ１１６Ｂへ進む。
【０１４７】
一方、ステップＳ１１７Ｂでフォワード回転ではない、すなわちリバース回転（ＲＥＶ）であると判断すると、回転移動検出手段８１０からの検出信号における回転速度を認識する（ステップＳ１２２Ｂ）。この後、処理手段４４０は、回転速度に対応してリバース方向へ再生速度が増大する状態に再生処理し（ステップＳ１２３Ｂ）、ステップＳ１２０Ｂに進んで、特性の位置でクリック感様の回転操作感覚が得られる状態に回転規制を適宜実施させる。
【０１４８】
そして、ステップＳ１１６Ｂで回転体部６００の押圧状態が継続していると判断すると、ステップＳ１１５Ｂに戻っていわゆるスクラッチ処理を継続する。一方、このステップＳ１１６Ｂで、回転体部６００の押圧状態が継続していないと判断すると、処理手段４４０は、操作信号認識手段４１１で設定しているスピード調整部３４２Ｂの再生の立ち上がり速度に応じて再生速度を１００％にする処理をする（ステップＳ１２４Ｂ）。
【０１４９】
この後、情報処理手段４００は、操作信号認識手段４１１により再生処理の停止要求、すなわち再生／停止ボタン３４８の入力操作による再生停止を認識したか否かを判断する（ステップＳ１２５Ｂ）。そして、このステップＳ１２５Ｂで再生停止を認識しないと判断すると、ステップＳ１０８Ｂに戻って再生処理を継続する。一方、ステップＳ１２５Ｂで再生停止を認識したと判断すると、この再生を停止し、再生処理を終了する。
【０１５０】
〔再生システムの作用効果〕
上記第２実施形態における再生システム１００のスイッチ装置５００では、利用者の入力操作により回転体部６００が回転あるいは押圧または接触されると、その入力操作に対応した操作信号である検出信号を情報処理手段４００へ出力し、情報処理手段４００で音楽データや映像データなどの情報を入力操作状況に応じて所定の処理状態で処理させ、この検出信号に基づいて処理されて出力手段２００で出力される低音域の音量ピークなどの情報の特性に基づいて、回転体部６００を動作、例えばクリック感様の移動規制を実施する。このため、例えば、比較的に大きな音量でかつ特殊な照明空間でＤＪ奏法を実施して音楽データや映像データを再生処理する際に、音楽データのリズムや低音域のピークなどの特性の位置、あるいは画像の切り替わり位置などの特性が変化する位置を移動規制にて聴覚や視覚以外の感覚で認識できる。したがって、音楽データや映像データにおける特定の特性の再生や再生タイミング、特性の切り替わりタイミングなどが特に厳格に要求されるＤＪ奏法で、良好な特性の認識によるより有効的な再生処理が実施できる。さらには、感触で情報の特性を認識でき、処理状態を入力操作にて適宜設定・変更できる情報処理装置３００として構成している。このため、スイッチ装置５００を視認することなく情報処理条件の設定操作ができ、情報処理装置３００をいわゆる電子楽器のように操作でき、汎用性の向上も容易に図れる。
【０１５１】
そして、情報を処理する情報処理装置３００にスイッチ装置５００を配設し、回転操作可能な回転体部６００の回転操作により、入力状態に対応した処理状況である再生位置を変更する情報処理を実施している。このため、回転操作に再生位置を変更する回転体部６００の回転操作時に、再生位置に対応する特性を移動規制による感触として容易に認識できるため、特性の位置を容易に認識できる。したがって、特にＤＪ奏法における再生処理とともに、その特性の認識も容易にでき、良好なＤＪ奏法が得られるさらに、情報処理を実施する情報処理手段４００と、情報処理の処理状況を設定するスイッチ装置５００とを一体構成としている。このため、情報処理の際に接続する作業が不要で、情報処理が直ちに実行できるとともに、回転体部６００をレコードプレーヤにおけるターンテーブルを模擬した形状にデザイン化し、意匠性も向上できる。
【０１５２】
また、情報処理装置３００における情報処理手段４００として、情報を取得情報取得手段４２０と、取得した情報の特性を認識する特性認識手段４１２と、入力操作によりスイッチ装置５００やスイッチ部３４０から出力される操作信号に対応して出力手段２００で所定の出力状態に情報を処理する処理手段４４０と、を設けている。このため、情報の処理状況を設定する操作信号に基づき情報を処理させるとともに、情報の内容を容易に認識できるように感覚を提供するための再生処理する情報の特性の認識が、簡単な構成で容易に得られる。
【０１５３】
さらに、情報処理手段４００として、移動規制する規制手段９００を情報の特性に対応して制御する規制制御手段４３１を設けている。このため、例えばプログラム構成として回路基板やＣＰＵなどの１つの構成として、情報処理および情報の特性に対応した感触を提供する構成が得られ、構成の簡略化が容易図れる。
【０１５４】
さらに、特性認識手段４１２で認識する情報の特性として、処理手段４４０で情報を処理して出力手段２００で出力する再生時間の時間軸における位置すなわち再生位置に対応して認識し、回転操作にて回転体部６００を回転操作して処理手段４４０で処理する処理状況である再生位置が移動する移動領域に特性の位置や特性が変化する位置が位置する場合、その位置を通過する際にクリック感様の移動規制を実施している。このため、再生時間に基づく再生位置の認識に基づいて特性の位置を認識するので、簡単で容易な演算で確実に特性位置で感触を提供でき、処理する情報の特性の対応した感触の提供が容易にできる。
【０１５５】
そして、情報の特性に対応した感触の提供として、入力操作される回転体部６００の移動の負荷が変動する状態、すなわち回転操作時の負荷が変動する状態に制御している。このため、例えば回転時の抵抗が増減する状態にするなど、簡単な構成で特性に対応した感触を提供できる構成が容易に得られる。
【０１５６】
また、負荷が変動する状態として、回転体部６００の回転移動を規制する規制処理および回転移動を補助する補助処理を適宜実施することで負荷が変動する状態としている。このため、特性に対応した感触として、移動規制や移動補助の異なる処理内容により異なる感触を提供でき、汎用性の向上や使い勝手の向上などが容易に得られる。さらには、上述したように、短い期間で移動規制してから移動補助する制御により、いわゆるクリック感様の感触を容易に提供できる。すなわち、乗り越えるリブを設けるなどの物理的な構成を設けなくて、リブを乗り越えるなどと同様のクリック感を提供でき、制御によりクリック感を提供するので、いずれの位置に物理的な構成と同様のクリック感を生じさせることができる。
【０１５７】
そして、規制処理としては、回転移動の抵抗が増大する状態としている。このため、特性に対応する感触を良好に提供できるとともに、この感触を良好に提供する構成を容易に構築できる。
【０１５８】
さらに、感触を提供する情報の特性や回転入力操作状況および情報の処理状況を表示している。すなわち、低音域の音量のピーク状態やテンポなどの特性は第１の表示装置３１０で表示され、回転入力操作状況として設定位置や再生位置として第２の表示装置３２０で表示させ、処理状況として再生時間や速度などを第１の表示装置３１０で表示させている。このため、感触とともに表示でも利用者が確認でき、より容易に情報を再生処理するための処理状況の設定が容易、すなわち回転体部６００の回転操作や押圧あるいは接触操作、さらにはスイッチ部３４０の入力操作などの入力操作が容易にできる。
【０１５９】
〔第２実施形態の効果〕
上記第２実施形態では、利用者による回転体部６００の入力操作に対応した操作信号を情報処理手段４００へ出力し、情報処理手段４００で音楽データや映像データなどの情報を入力操作状況に応じて所定の処理状態で処理させ、この操作信号に基づいて処理されて出力手段２００で出力される低音域の音量ピークなどの情報の特性に基づいて、回転体部６００を動作、例えばクリック感様の移動規制を実施する。このため、例えば、比較的に大きな音量でかつ特殊な照明空間でＤＪ奏法を実施して音楽データや映像データを再生処理する際に、音楽データのリズムや低音域のピークなどの特性の位置、あるいは画像の切り替わり位置などの特性が変化する位置を移動規制にて聴覚や視覚以外の感覚で認識でき、入力操作に応じた情報処理における良好な入力操作が得られる。
【０１６０】
また、情報処理装置３００として特性に対応した動作をするスイッチ装置５００を構成している。このため、良好な特性の認識によるより有効的な情報処理が実施でき、特に音楽データや映像データにおける特定の特性の再生や再生タイミング、特性の切り替わりタイミングなどが特に厳格に要求されるＤＪ奏法で有効で、良好なＤＪ奏法が得られる。
【０１６１】
＜第３実施形態＞
以下、本発明の第３実施形態における再生装置としての再生システムの構成について説明する。なお、本発明におけるスイッチ装置としては、再生システムに利用される構成の他、いずれの情報を処理する構成、さらには情報を処理する構成のみならず、いずれのスイッチ構成にも適用可能である。
【０１６２】
本実施形態は、基本構成（再生システム１００、出力手段２００、情報処理装置３００）が前述した前述した第１実施形態と同様であり（図２〜図１９参照）、スイッチ装置５００および情報処理手段４００についても基本的に前述した第２実施形態と同様である（図２８参照）。このため、重複する説明は省略する。
一方、本実施形態においては、スイッチ装置５００および情報処理手段４００において前述した第２実施形態とは一部相違する。このため以下にはスイッチ装置５００および本実施形態における情報処理手段４００について説明する。
［０１６３］
（スイッチ装置の構成）
本実施形態のスイッチ装置５００では、前記第２実施形態に対して以下の構成が異なる。
スイッチ部３４０は、情報処理手段４００に接続され、利用者による入力操作に対応して所定の操作信号を情報処理手段４００へ出力し、情報処理手段４００で情報を処理する状況を設定させる。このスイッチ部３４０は、上述したように、操作部材である、イジェクトボタン３４１と、モード調整部３４２と、テンポ調整部３４３と、キュー／ループボタン３４４と、クイックリターンボタン３４５と、サーチ設定部３４６と、操作子である第２の操作子としてのキューボタン３４７と、再生／停止ボタン３４８と、ループ操作部３４９と、などを備えている。
［０１６４］
キューボタン３４７は、情報の特定の位置である主に所定のキューポイントを登録する設定をする。例えば、光ディスクの再生一時停止中に利用者が押下操作することで、所定のキューポイントの指示に基づく操作信号を出力、すなわち一時停止している位置をキーポイントとして登録させる処理を実施させる。
［０１６５］
（情報処理手段の構成）
本実施形態の情報処理手段４００では、前記第２実施形態に対して以下の構成が異なる。
特性認識手段４１２は、情報取得手段４２０で処理対象として取得した情報の特性、例えば情報が音楽データである場合には音量、音程、テンポなど、画像データの場合には明暗、コントラスト、色彩などを認識し特性情報として取得する。これら情報の特性は、その情報に関連付けられて記録媒体に記録された特性に関する情報の他、例えば処理手段４４０で情報を再生するための処理の際に周波数などに基づいて認識し、特性に関する特性情報として取得してもよい。例えば、所定の周波数以下である低音域の音量として、ローパスフィルタにより所定の周波数以下の成分を取得してその音量が所定の以上の大きさ、特にピーク値を特性として認識する。さらに、特性認識手段４１２は、特性である低音域のピーク値が存在する位置における再生開始位置からの時間情報である経過時間を、記録情報に含まれる時間情報である分や秒、あるいはフレーム数に基づいて認識する。また、特性認識手段４１２は、上述したキューボタン３４７の入力操作により出力される操作信号に基づいて、キューポイントに関する情報を設定する。すなわち、操作信号に基づいて、図２１に示すように、再生状態が一時停止されて入力操作された再生位置をキューポイントとして設定し、キューポイント情報を生成する。この生成したキューポイント情報は、記憶手段３６０に適宜記憶されるとともに、表示制御手段４５０へも適宜出力される。ここで、再生位置の認識としては、以下の演算により算出されて認識される。すなわち、再生開始時点から現在の経過トラック時間までに再生された総フレーム数を算出する。
具体的には、記録情報に含まれる時間情報である分Ｍin、秒Ｓec、フレーム数Ｆｎを検出し、第1実施形態で述べた数１により総フレーム数Ｎを算出する。
【０１６６】
算出した総フレーム数Ｎを所定の係数Ｋで除算し、再生位置情報となる余りの数Ａを算出する。ここで、係数Ｋは、記録媒体である光ディスクのディスク毎に決められた設定値である。例えば、ＣＤの場合には、ＣＤの１秒間のフレーム数７５と、アナログレコードプレーヤの回転速度３３ＲＰＭ（１秒間に０．５５回転）とより、Ｋ＝１３５に設定される。このように、アナログレコードプレーヤに対応する略円形状の軌跡における再生位置が認識される。この再生位置に基づいてキューポイントが設定される。なお、キューポイント情報は、再生位置に関する情報とともに、再生開始位置からの回転体部６００の回転数に関する回転数情報を有している。すなわち、再生位置がキューポイントからある程度進行して、再生位置が数回転後の所定の位置である場合には、進行した分の数で回転体部６００の回転を戻さないとキューポイント位置に再生位置が戻らない状態となる。具体的には、総フレーム数Ｎを係数Ｋで除算した値が再生開始位置からの回転数であり、余りが回転軌跡上における位置となる。
【０１６７】
規制制御手段４３１は、特性認識手段４１２で認識した情報の特性、すなわちキューポイント情報に基づいて、規制手段９００の回転駆動手段９３０を動作制御する。すなわち、規制制御手段４３１は、キューポイントの位置で、入力操作にて回転される回転体部６００の回転に対する負荷が変動する状態に、回転駆動手段９３０の電動モータ９３１を回転駆動させる処理をする。
具体的には、図２２に示すように、特性の位置を略中心として、回転体部６００が回転する回転方向に対する前後の所定角度±Δθで、入力操作にて回転する回転体部６００の回転抵抗が増減する状態に、電動モータ９３１の駆動力を回転体部６００に作用させる。すなわち、図２２（Ｂ）に示すように、回転体部６００の回転方向において、キューポイントの位置から手前の所定角度−Δθの位置からキューポイントの位置までは、回転操作に対して抵抗が加わる規制処理を実施し、キューポイントの位置から回転方向の先の所定角度＋Δθの位置までは、回転操作に対して抵抗を減少、すなわち回転操作を補助する状態に補助処理を実施する。
【０１６８】
これら規制処理および補助処理としては、図２２（Ａ）に示すように、キューポイントの位置の手前−Δθの位置で回転操作に対して大きく抵抗が生じ、キューポイントの位置で負荷が生じず、キューポイントの位置の先＋Δθの位置で回転操作を補助する状態に、徐々に負荷が低減する状態とする。すなわち、電動モータ９３１の駆動として、例えば−Δθの位置で、回転体部６００の回転に対応する方向とは逆方向に規制歯車９２０が所定の回転速度で回転する状態に電力を供給して逆回転の駆動力を作用させる。そして、回転体部６００の回転位置がキューポイントの位置に到達するまで、規制歯車９２０の逆方向への回転速度が徐々に低下して逆回転の駆動力が徐々に低減する状態に供給する電力を制御する。さらに、回転体部６００の回転位置がキューポイントの位置に到達した時点で、規制歯車９２０が回転しない状態すなわち駆動力を作用させない状態とする。そして、回転体部６００の回転位置がキューポイントの位置を通過して＋Δθの位置まで、回転体部６００の回転位置がキューポイントの位置で回転体部６００の回転に対応する方向に第１の歯車６２３での回転速度と規制歯車９２０の回転速度とが略同一となる状態まで徐々に規制歯車９２０の回転速度を増大させて駆動力を作用させる。このように回転体部６００の回転操作に対して比較的に短い回転角度±Δθで回転に抵抗が生じる状態から回転を補助する状態に駆動力を作用させることで、キューポイントの位置で、いわゆるクリック感様の操作感覚を利用者に提供する状態となる。なお、電動モータ９３１の供給する電力を制御すなわち電動モータ９３１の駆動制御として、電流制御や電圧制御など、各種制御方法が利用できる。
【０１６９】
〔再生システムの動作〕
次に、第３実施形態の再生システム１００における情報を処理する動作について、図面を参照して説明する。
本実施形態の動作は、基本的に前述した第２実施形態の動作と同様である（図２９参照）。但し、再生システムの情報処理動作における再生状況の変更処理が第２施形態とは異なる。
【０１７０】
処理手段４４０で音楽データを再生している際に、図３１に示すように、回転体部６００が押圧操作されたか否かを判断する（ステップＳ１１１Ｃ）。具体的には、操作信号認識手段４１１が押圧検出手段８２０から操作信号が出力されたか否かを判断する。このステップＳ１１１Ｃで押圧操作を認識しない場合には、ステップＳ１０８Ｂに戻って再生処理を継続する。また、ステップＳ１１１Ｃで押圧操作を認識すると、操作信号認識手段４１１は、クイックリターンボタン３４５がＯＮ状態であるか否かを判断する（ステップＳ１１２Ｃ）。すなわち、操作信号認識手段４１１は、回転体部６００の押圧操作の検出信号による再生状況を変更させる変更内容が、処理の停止または開始に関する変更内容、または、再生位置の変更に関する変更内容のうちのどちらの変更内容であるかを判断する。このステップＳ１１２Ｃにおいて、クイックリターンボタン３４５が押圧操作されてＯＮ状態であり、再生状況の変更内容が再生位置の変更に関する変更内容であると判断した場合、処理手段４４０は、再生速度を０％にして再生位置をキューポイントへ移動する処理をする（ステップＳ１１３Ｃ）。一方、ステップＳ１１２Ｃにおいて、クイックリターンボタン３４５がＯＮ状態ではない、すなわちＯＦＦ状態であり、再生状況の変更内容が処理の停止または開始に関する変更内容であると判断した場合、処理手段４４０は、スイッチ部３４０のスピード調整部３４２Ｂにて設定され、操作信号認識手段４１１にて認識された再生停止過程における減速スピードに応じて、再生速度を徐々に０％にして再生処理を停止する処理をする（ステップＳ１１４Ｃ）。
【０１７１】
これらステップＳ１１３ＣまたはステップＳ１１４Ｃの後、操作信号認識手段４１１は、回転体部６００の回転移動検出手段８１０からの検出信号に基づいて、回転体部６００が回転操作されたか否かを判断する（ステップＳ１１５Ｃ）。このステップＳ１１５Ｃで回転されていないと判断すると、操作信号認識手段４１１は、回転体部６００の押圧状態が継続しているか否かを判断する（ステップＳ１１６Ｃ）。一方、ステップＳ１１５Ｃで回転されたと判断すると、操作信号認識手段４１１は、検出信号に基づいて回転方向が回転回り方向であるフォワード回転（ＦＷＤ）か否かを判断する（ステップＳ１１７Ｃ）。そして、ステップＳ１１７Ｃでフォワード回転であると判断すると、回転移動検出手段８１０からの検出信号における回転速度を認識する（ステップＳ１１８Ｃ）。この後、処理手段４４０は、回転速度に対応してフォワード方向へ再生速度が増大する状態に再生処理する（ステップＳ１１９Ｃ）。
【０１７２】
このステップＳ１１９Ｃの後、回転体部６００の回転操作により再生位置が進行し、キューポイント位置に到達したか否かを判断する（ステップＳ１２０Ｃ）。すなわち、回転体部６００の回転操作に対応して移動する再生位置が、キューポイント位置に対して±Δθの位置に到達したか否かを判断する。そして、ステップＳ１２０Ｃで、再生位置がまだキューポイント位置に対して±Δθの位置に到達していないと判断した場合には、ステップＳ１１６Ｃに進んでそのまま処理を継続する。一方、ステップＳ１２０Ｃで、再生位置がキューポイント位置に対して±Δθの位置に到達したと判断すると、いわゆるクリック感様の回転操作感覚が生じる状態に、回転体部６００の回転操作を規制する処理をする（ステップＳ１２１Ｃ）。すなわち、回転体部６００の回転により再生位置がキューポイントの位置に対して−Δθの位置に到達した時点で、回転体部６００の回転に対応する方向とは逆方向に規制歯車９２０が所定の回転速度で回転する状態に、規制手段９００の電動モータ９３１に電力を適宜供給して逆回転の駆動力を作用させる。そして、回転操作により回転体部６００の回転が進行し、再生位置がキューポイントの位置に到達するまでは、規制歯車９２０の逆方向への回転速度が徐々に低下して逆回転の駆動力が徐々に低減する状態に電動モータ９３１を駆動制御する。さらに、回転体部６００の回転操作が進行して再生位置がキューポイントの位置に到達した時点で、規制歯車９２０が回転しない状態すなわち駆動力を作用させない状態とし、回転体部６００のさらなる回転操作により再生位置がキューポイントの位置を通過して＋Δθの位置まで、回転体部６００の回転に対応する方向に第１の歯車６２３での回転速度と規制歯車９２０の回転速度とが略同一となる状態まで徐々に規制歯車９２０の回転速度を増大させて駆動力を作用させる状態に電動モータ９３１を駆動制御する。このステップＳ１２１Ｃの後、ステップＳ１１６Ｃへ進む。
【０１７３】
一方、ステップＳ１１７Ｃでフォワード回転ではない、すなわちリバース回転（ＲＥＶ）であると判断すると、回転移動検出手段８１０からの検出信号における回転速度を認識する（ステップＳ１２２Ｃ）。この後、処理手段４４０は、回転速度に対応してリバース方向へ再生速度が増大する状態に再生処理し（ステップＳ１２３Ｃ）、ステップＳ１２０Ｃに進んで、キューポイントの位置でクリック感様の回転操作感覚が得られる状態に回転規制を適宜実施させる。
【０１７４】
そして、ステップＳ１１６Ｃで回転体部６００の押圧状態が継続していると判断すると、ステップＳ１１５Ｃに戻っていわゆるスクラッチ処理を継続する。一方、このステップＳ１１６Ｃで、回転体部６００の押圧状態が継続していないと判断すると、処理手段４４０は、操作信号認識手段４１１で設定しているスピード調整部３４２Ｂの再生の立ち上がり速度に応じて再生速度を１００％にする処理をする（ステップＳ１２４Ｃ）。
【０１７５】
この後、情報処理手段４００は、操作信号認識手段４１１により再生処理の停止要求、すなわち再生／停止ボタン３４８の入力操作による再生停止を認識したか否かを判断する（ステップＳ１２５Ｃ）。そして、このステップＳ１２５Ｃで再生停止を認識しないと判断すると、ステップＳ１０８Ｂに戻って再生処理を継続する。一方、ステップＳ１２５Ｃで再生停止を認識したと判断すると、この再生を停止し、再生処理を終了する。
【０１７６】
〔再生システムの作用効果〕
上記第３実施形態における再生システム１００の情報処理装置３００では、スイッチ部３４０およびスイッチ装置５００の回転体部６００の入力操作により、それぞれ異なる操作信号が出力されると、異なる操作信号に応じて処理手段４５０にて出力手段２００で異なる出力状態に音楽データや映像データなどの情報を処理する。そして、スイッチ部３４０の入力操作で設定され回転体部６００の押圧操作にて再生位置を処理手段４４０が変更させる所定の位置であるキューポイントに、回転体部６００の回転入力操作による操作信号により処理手段４４０が処理する再生位置が位置すると、回転体部６００を動作、例えばクリック感様の移動規制を実施する。このため、例えば、比較的に大きな音量でかつ特殊な照明空間でＤＪ奏法を実施して音楽データや映像データを再生処理する際に、スイッチ部３４０の入力操作にて設定した処理状況であるキューポイント位置などの設定位置を、移動規制にて聴覚や視覚以外の感覚で認識できる。したがって、感覚でも設定位置を認識できることから、音楽データや映像データにおける特定の設定位置での再生や再生タイミング、特性の切り替わりタイミングなどが特に厳格に要求されるＤＪ奏法で、良好な設定位置の認識によるより有効的な再生処理が実施できる。さらには、感触で設定位置を認識でき、処理状態を入力操作にて適宜設定・変更できる情報処理装置３００として構成している。このため、スイッチ装置５００を視認することなく情報処理条件の設定操作ができ、情報処理装置３００をいわゆる電子楽器のように操作でき、汎用性の向上も容易に図れる。
【０１７７】
そして、情報を処理する情報処理装置３００にスイッチ装置５００を配設し、回転操作可能な回転体部６００の回転操作により、入力状態に対応した処理状況である再生位置を変更する情報処理を実施している。このため、回転操作に再生位置を変更する回転体部６００の回転操作時に、再生位置に対応する設定位置を移動規制による感触として容易に認識できるため、設定位置を容易に認識できる。したがって、特にＤＪ奏法における再生処理とともに、再生処理内容を設定した設定位置の認識も容易にでき、良好なＤＪ奏法が得られる。さらに、情報処理を実施する情報処理手段４００と、情報処理の処理状況を設定するスイッチ装置５００とを一体構成としている。このため、情報処理の際に接続する作業が不要で、情報処理が直ちに実行できるとともに、回転体部６００をレコードプレーヤにおけるターンテーブルを模擬した形状にデザイン化し、意匠性も向上できる。
【０１７８】
また、情報処理装置３００における情報処理手段４００として、プログラムにて各種構成を構築している。このため、例えばパーソナルコンピュータやＣＰＵなどにプログラムを組み込む、さらにはプログラムを記録した記録媒体を用いることで、上記した処理構成が容易に得られ、製造性の向上や利用の拡大も容易に図れる。さらに、情報処理手段４００として、移動規制する規制手段９００を回転入力操作状況に対応して制御する規制制御手段４４０を設けている。このため、例えばプログラム構成として回路基板やＣＰＵなどの１つの構成として、情報処理および情報の処理状況を設定する入力操作状況に対応した移動規制による感触を提供する構成が得られ、構成の簡略化が容易に図れる。
【０１７９】
さらに、情報処理手段４００として、移動規制する規制手段９００を操作信号に基づく処理状況に対応する設定位置に対応して制御する規制制御手段４３１を設けている。このため、例えばプログラム構成として回路基板やＣＰＵなどの１つの構成として、情報処理および情報の特性に対応した感触を提供する構成が得られ、構成の簡略化が容易図れる。
【０１８０】
さらに、特性認識手段４１２で認識する設定位置として、処理手段４４０で情報を処理して出力手段２００で出力する再生時間の時間軸における位置すなわち再生位置に対応して認識し、回転操作にて回転体部６００を回転操作して処理手段４４０で処理する処理状況である再生位置が移動する移動領域に設定位置が位置する場合、その位置を通過する際にクリック感様の移動規制を実施している。このため、再生時間に基づく再生位置の認識に基づいて設定位置を認識するので、簡単で容易な演算で確実に設定位置で感触を提供でき、処理する情報の処理状況の設定に対応した感触の提供が容易にできる。
【０１８１】
そして、情報の処理状況の設定に対応した感触の提供として、入力操作される回転体部６００の移動の負荷が変動する状態、すなわち回転操作時の負荷が変動する状態に制御している。このため、例えば回転時の抵抗が増減する状態にするなど、簡単な構成で設定位置に対応した感触を提供できる構成が容易に得られる。
【０１８２】
また、負荷が変動する状態として、回転体部６００の回転移動を規制する規制処理および回転移動を補助する補助処理を適宜実施することで負荷が変動する状態としている。このため、設定に対応した感触として、移動規制や移動補助の異なる処理内容により異なる感触を提供でき、汎用性の向上や使い勝手の向上などが容易に得られる。さらには、上述したように、短い期間で移動規制してから移動補助する制御により、いわゆるクリック感様の感触を容易に提供できる。すなわち、乗り越えるリブを設けるなどの物理的な構成を設けなくて、リブを乗り越えるなどと同様のクリック感を提供でき、制御によりクリック感を提供するので、いずれの位置に物理的な構成と同様のクリック感を生じさせることができる。
【０１８３】
そして、規制処理としては、回転移動の抵抗が増大する状態としている。このため、設定に対応する感触を良好に提供できるとともに、この感触を良好に提供する構成を容易に構築できる。
【０１８４】
さらに、感触を提供する設定位置や入力操作状況および情報の処理状況を表示している。すなわち、低音域の音量のピーク状態やテンポなどの特性は第１の表示装置３１０で表示され、入力操作状況として設定位置や再生位置などは第２の表示装置３２０で表示させ、処理状況として再生時間や速度などを第１の表示装置３１０で表示させている。このため、感触とともに表示でも利用者が確認でき、より容易に情報を再生処理するための処理状況の設定が容易、すなわち回転体部６００の回転操作や押圧あるいは接触操作、さらにはスイッチ部３４０の入力操作などの入力操作が容易にできる。
【０１８５】
〔第３実施形態の効果〕
上記第３実施形態では、スイッチ部３４０およびスイッチ装置５００の回転体部６００の入力操作により、それぞれ異なる操作信号が出力されると、異なる操作信号に応じて処理手段４５０にて出力手段２００で異なる出力状態に音楽データや映像データなどの情報を処理する。スイッチ部３４０の入力操作で設定され回転体部６００の押圧操作にて再生位置を処理手段４４０が変更させる所定の位置であるキューポイントに、回転体部６００の回転入力操作による操作信号により処理手段４５０が処理する再生位置が位置すると、回転体部６００を動作、例えばクリック感様の移動規制を実施する。このため、移動規制にて聴覚や視覚以外の感覚で設定位置を認識でき、音楽データや映像データにおける特定の特性の再生や再生タイミング、特性の切り替わりタイミングなどが特に厳格に要求されるＤＪ奏法で、良好な設定位置の認識によるより有効的な再生処理が実施できる。
【０１８６】
＜第４実施形態＞
以下、本発明の第４実施形態における再生装置としての再生システムの構成について、図３２を参照して説明する。なお、本発明におけるスイッチ装置としては、再生システムに利用される構成の他、いずれの情報を処理する構成、さらには情報を処理する構成のみならず、いずれのスイッチ構成にも適用可能である。
本実施形態は、基本構成（再生システム１００、出力手段２００、情報処理装置３００）が前述した前述した第１実施形態と同様である（図２〜図１９参照）。このため、重複する説明は省略する。
一方、本実施形態において、情報処理装置３００が前述した第１実施形態と同様なスイッチ装置５００および情報処理手段４００を備えるが、各々は第１実施形態の構成とは一部相違する。このため以下には本実施形態におけるスイッチ装置５００および情報処理手段４００について説明する。
【０１８７】
(スイッチ装置の構成)
図３２において、スイッチ装置５００は、操作手段を構成する操作子としての回転体部６００と、軸支台座部７００と、移動状況検出手段８００と、振動手段としての振動モータ９５０と、を備えている。すなわち、第１実施形態のスイッチ装置５００に対して回転駆動手段９３０が省略されている。
【０１８８】
(情報処理手段の構成)
図３２において、情報処理手段４００は、例えばＣＰＵ（Central Processing Unit）を備え、図示しない各種入出力ポートである、第１の表示装置３１０や第２の表示装置３２０が接続される表示制御ポートと、ドライブ３３０が接続されるドライブ制御ポートと、スイッチ部３４０や移動状況検出手段８００が接続される入力ポートと、振動モータ９５０を振動させる供給電力を制御する駆動制御ポートと、通信手段３５０が接続される通信ポートと、記憶手段３６０が接続される記憶ポートと、などを有している。そして、情報処理手段４００は、各種プログラムとして、操作信号認識手段４１１と、情報取得手段４２０と、特性認識手段４１２と、振動制御手段４３２と、処理手段４４０と、表示制御手段４５０と、などを備えている。
【０１８９】
操作信号認識手段４１１は、スイッチ部３４０から出力される各種操作信号、移動状況検出手段８００の回転移動検出手段８１０および押圧検出手段８２０から出力される検出信号を認識し、利用者により入力操作された情報の処理条件や処理状況の変更要求を認識し、情報の処理状態を設定する。この処理状態の設定内容に関する信号は、情報取得手段４２０、振動制御手段４３２、処理手段４４０、表示制御手段４５０などへ適宜出力される。なお、押圧検出手段８２０から押圧力に関する検出信号を認識した場合には、再生されている状態で押圧力の検出信号を認識すると、押圧力の大きさに対応、例えば押圧力が大きくなるに従って再生速度が低減する速度が速くなる処理状態に設定する。また、回転体部６００を押圧して再生が一時停止している状態から徐々に押圧力が小さくなると、その押圧力の大きさに対応、すなわちゆっくり押圧力を小さくする場合に比して速く押圧力を小さくする場合の方が通常の再生速度に戻すまでの時間が短くなる処理状態に設定する。
【０１９０】
情報取得手段４２０は、操作信号認識手段４１１から出力される所定の処理状況の設定内容に関する信号、すなわち処理対象となる所定の情報を読み取る旨の指示信号を認識すると、ドライブ３３０や記憶手段３６０を動作制御し、記録媒体に記憶された所望の情報を読み取らせ、取得する。また、情報取得手段４２０は、記録媒体に記録された情報の記録状況、例えば再生時間や記録された情報の数などの記録情報を取得する。これら記録情報の取得としては、例えば、記録媒体がドライブ３３０に装着されたことをドライブ３３０から出力される信号に基づいて認識、あるいは、スイッチ部３４０などの入力操作などにて処理対象が記憶手段３６０に記憶された情報であることを認識すると、ドライブ３３０や記憶手段３６０を動作制御して、記録されているプレイリストやＴＯＣ（Table Of Contents）情報などを読み取らせて取得する。さらに、情報取得手段４２０は、例えばスイッチ部３４０などの入力操作や情報処理装置３００に接続された端末装置などから出力される要求信号に基づいて、通信手段３５０を動作制御し、サーバ装置や端末装置から取得要求対象の情報を受信させて取得する。
【０１９１】
特性認識手段４１２は、情報取得手段４２０で処理対象として取得した情報の特性、例えば情報が音楽データである場合には音量、音程、テンポなど、画像データの場合には明暗、コントラスト、色彩などを認識し特性情報として取得する。これら情報の特性は、その情報に関連付けられて記録媒体に記録された特性に関する情報の他、例えば処理手段４４０で情報を再生するための処理の際に周波数などに基づいて認識し、特性に関する特性情報として取得してもよい。例えば、図２３（Ａ）に示すように、音量を認識する。さらに、特性認識手段４１２は、認識した特性の位置を、情報を処理する処理時間の時間軸における位置、すなわち再生開始位置からの時間情報である経過時間を、記録情報に含まれる時間情報である分や秒、あるいはフレーム数に基づいて認識する。そして、特性認識手段４１２は、認識した特性とその位置である時間情報とを関連付けた特性情報として記憶手段３６０に順次記憶させる。また、特性認識手段４１２は、認識した情報の特性に関する特性情報を表示制御手段４５０へも適宜出力する。
【０１９２】
振動制御手段４３２は、特性認識手段４１２で認識した情報の特性に基づいて、振動モータ９５０を動作制御すなわち振動させる。この振動制御手段４３２は、再生開始時点から現在の経過トラック時間までに再生された総フレーム数を算出する。
具体的には、記録情報に含まれる時間情報である分Ｍin、秒Ｓec、フレーム数Ｆｎを検出し、第1実施形態で述べた数１により総フレーム数Ｎを算出する。
【０１９３】
算出した総フレーム数Ｎを所定の係数Ｋで除算し、再生位置情報となる余りの数Ａを算出する。ここで、係数Ｋは、記録媒体である光ディスクのディスク毎に決められた設定値である。例えば、ＣＤの場合には、ＣＤの１秒間のフレーム数７５と、アナログレコードプレーヤの回転速度３３ＲＰＭ（１秒間に０．５５回転）とより、Ｋ＝１３５に設定される。このように、アナログレコードプレーヤに対応する略円形状の軌跡における再生位置が認識される。このことにより、特性認識手段４１２で取得した特性情報における情報の特性の位置が、再生位置の認識と同様に演算することで認識される。
【０１９４】
そして、振動制御手段４３２は、入力操作にて回転される回転体部６００の回転に対応して移動される処理位置における情報の特性に対応、例えば音量の大きさに対応して振動モータ９５０を振動させる大きさが変動する状態に、供給させる電力の電流値を設定する。具体的には、図２３（Ｂ）に示すように、処理位置である再生位置における特性情報に基づいて音量の大きさに対応する電流値が振動モータ９５０に流れる状態に供給する電力を設定する。また、回転体部６００を押圧している状態で回転が停止し再生が一時停止する状態では、その一時停止している期間Ｔ２（図２５（Ｂ））ではその停止した位置における再生位置での音量の大きさに対応する電流値を供給して振動させる処理を実施する。
【０１９５】
処理手段４４０は、例えばＤＳＰ（Digital Signal Processor）などを備え、情報取得手段４２０で取得した処理対象の情報を、操作信号認識手段４１１から出力される処理状況の設定内容に関する信号に応じて、出力手段２００から上述した設定内容のように適宜出力される状態に再生処理する。この処理した情報は、出力手段２００に適宜出力され、設定内容に対応して再生される。すなわち、通常に再生したり、回転体部６００の回転や押圧あるいは接触操作、スイッチ部３４０の入力操作による設定内容に応じて、情報の再生位置や再生速度、テンポ、音程などを設定あるいは変更する状態に処理する。
【０１９６】
表示制御手段４５０は、第１の表示装置３１０および第２の表示装置３２０を制御し、操作信号認識手段４１１から出力される処理状況の設定内容に関する信号や特性認識手段４１２で認識した情報の特性に関する各種情報に対応して、設定内容や情報の処理状況を適宜表示させる。
【０１９７】
〔再生システムの動作〕
次に、第４実施形態の再生システム１００における情報を処理する動作について、図面を参照して説明する。なお、この動作処理において、記録媒体として音楽データが記録された光ディスクを利用した場合について説明するが、上述したように、処理する記録媒体はこの限りではない。図２６は、再生システムの情報処理動作における再生処理の動作を示すフローチャートである。図３３は、再生システムの情報処理動作における再生状況の変更処理を示すフローチャートである。
【０１９８】
まず、図２６に示すように、あらかじめ再生システム１００に電力が供給され、挿入口３０２に光ディスクなどの記録媒体が挿入されると（ステップＳ１０１Ａ）、情報処理手段４００がドライブ３３０を動作制御する。すなわち、例えばオートローディング機構により、本体ケース３０１内のドライブ３３０の所定の位置に記録媒体を装着させる。そして、情報処理手段４００は、記録媒体がドライブ３３０に装着されたことを認識すると、情報取得手段４２０により、ドライブ３３０を動作制御して記録媒体に記録された記録情報を読み取らせる。さらに、表示制御手段４５０により第１の表示装置３１０を制御して、記録情報を表示させる（ステップＳ１０２Ａ）。この後、情報処理手段４００は、スイッチ部３４０が利用者により入力操作されて出力する操作信号を操作信号認識手段４１１で認識し（ステップＳ１０３Ａ）、入力された処理状態を設定する（ステップＳ１０４Ａ）。なお、ステップＳ１０３ＡおよびステップＳ１０４Ａは以降の処理においても実施され、再生処理が終了するまで操作信号に基づいて処理状態が設定される。
【０１９９】
この後、処理対象の音楽データの選択待機状態となる（ステップＳ１０５Ａ）。すなわち、いずれの音楽データが選択されたか否かを判断する。そして、処理対象の音楽データが選択されたことを認識すると、情報取得手段４２０によりドライブ３３０や記憶手段３６０を制御して、選択された音楽データを読み取る（ステップＳ１０６Ａ）。さらに、表示制御手段４５０は、選択された音楽データの再生時間やトラック番号あるいはプレイリストにおける登録された番号など、音楽データに関する情報を表示させる。この後、処理対象の音楽データの再生待機状態となる（ステップＳ１０７Ａ）。すなわち、再生／停止ボタン３４８が入力操作されたか否かを判断し、再生／停止ボタン３４８の入力操作による再生要求を認識すると、処理手段４４０により出力手段２００で出力可能に音楽データを処理する再生処理を実施し、順次出力手段へ処理した音楽データを出力し、音声として発音手段２１０から出力させる（ステップＳ１０８Ａ）。このステップＳ１０８Ａの再生処理の際、情報処理手段４００の特性認識手段４１２により、音楽データの特性、例えばリズムであるテンポや低音域の音量などを認識する（ステップＳ１０９Ａ）。さらに、再生処理状況、例えば再生速度やステップＳ１０９Ａで認識した特性などを、第１の表示装置３１０および第２の表示装置３２０に表示させるとともに、特性に対応して振動モータ９５０を振動させる処理をする（ステップＳ１１０Ａ）。
【０２００】
このステップと１１０Ａにおいて、第２の表示装置３２０における再生処理状況の表示としては、上述した数１に基づいて演算された余りの数Ａに関する再生位置情報に基づいて再生位置を認識する。そして、第２の表示装置３２０の再生位置表示部３２１における１２時の位置を基準として、算出した再生位置情報に相当する時計回りの方向の位置の発光素子を点灯させ、再生位置を表示させる。なお、再生中、演算される再生位置情報はフレーム数の増加により変化するため、表示される再生位置は、略円形状の仮想軌跡を回転する状態に移動する。また、振動モータ９５０の振動処理としては、再生位置情報および特性情報に基づいて、処理手段４４０で現在処理している再生位置における特性、例えば音量の大きさに対応して振動制御手段４３２で振動モータ９５０に供給する電力の電流値の大きさを設定して電力を供給させる。このことにより、回転体部６００が入力操作されていない状態でも出力手段２００における再生状況に対応して振動モータ９５０が振動して回転体部６００が振動している。したがって、例えば利用者が回転体部６００に手をかざす状態とすると、回転体部６００が再生処理している音楽データと対応して振動していることを認識できる。
【０２０１】
また、利用者がスイッチ部３４０のキューボタン３４７を押下操作することで、この操作信号を操作信号認識手段４１１が認識し情報の処理状態を設定する信号を出力する。この信号を認識した表示制御手段４５０は、信号の認識した時点における再生位置情報をキューポイント情報とし、キューポイント位置表示部３２２における１２時の位置を基準として、キューポイント情報に相当する時計回りの方向の位置する発光素子を点灯させ、キューポイントを表示させる。この演算されたキューポイント情報は、記憶手段３６０に適宜記憶される。
【０２０２】
そして、処理手段４４０で音楽データを再生している際に、図３３に示すように、回転体部６００が押圧操作されたか否かを判断する（ステップＳ１１１Ｄ）。具体的には、操作信号認識手段４１１が押圧検出手段８２０から操作信号が出力されたか否かを判断する。このステップＳ１１１Ｄで押圧操作を認識しない場合には、ステップＳ１０８Ａに戻って再生処理を継続する。また、ステップＳ１１１Ｄで押圧操作を認識すると、操作信号認識手段４１１は、クイックリターンボタン３４５がＯＮ状態であるか否かを判断する（ステップＳ１１２Ｄ）。すなわち、操作信号認識手段４１１は、回転体部６００の押圧操作の検出信号による再生状況を変更させる変更内容が、処理の停止または開始に関する変更内容、または、再生位置の変更に関する変更内容のうちのどちらの変更内容であるかを判断する。このステップＳ１１２Ｄにおいて、クイックリターンボタン３４５が押圧操作されてＯＮ状態であり、再生状況の変更内容が再生位置の変更に関する変更内容であると判断した場合、処理手段４４０は、再生速度を０％にして再生位置をキューポイントへ移動する処理をする（ステップＳ１１３Ｄ）。一方、ステップＳ１１２Ｄにおいて、クイックリターンボタン３４５がＯＮ状態ではない、すなわちＯＦＦ状態であり、再生状況の変更内容が処理の停止または開始に関する変更内容であると判断した場合、処理手段４４０４５０は、スイッチ部３４０のスピード調整部３４２Ｂにて設定され、操作信号認識手段４１１にて認識された再生停止過程における減速スピードに応じて、再生速度を徐々に０％にして再生処理を停止する処理をする（ステップＳ１１４Ｄ）。
【０２０３】
これらステップＳ１１３ＤまたはステップＳ１１４Ｄの後、操作信号認識手段４１１は、回転体部６００の回転移動検出手段８１０からの検出信号に基づいて、回転体部６００が回転操作されたか否かを判断する（ステップＳ１１５Ｄ）。このステップＳ１１５Ｄで回転されていないと判断すると、操作信号認識手段４１１は、回転体部６００の押圧状態が継続しているか否かを判断する（ステップＳ１１６Ｄ）。一方、ステップＳ１１５Ｄで回転されたと判断すると、操作信号認識手段４１１は、検出信号に基づいて回転方向が回転回り方向であるフォワード回転（ＦＷＤ）か否かを判断する（ステップＳ１１７Ｄ）。そして、ステップＳ１１７Ｄでフォワード回転であると判断すると、回転移動検出手段８１０からの検出信号における回転速度を認識する（ステップＳ１１８Ｄ）。この後、処理手段４４０は、回転速度に対応してフォワード方向へ再生速度が増大する状態に再生処理し（ステップＳ１１９Ｄ）、ステップと１１６へ進む。
【０２０４】
一方、ステップＳ１１７Ｄでフォワード回転ではない、すなわちリバース回転（ＲＥＶ）であると判断すると、回転移動検出手段８１０からの検出信号における回転速度を認識する（ステップＳ１２０Ｄ）。この後、処理手段４４０は、回転速度に対応してリバース方向へ再生速度が増大する状態に再生処理し（ステップＳ１２１Ｄ）、ステップＳ１１６Ｄへ進む。これらステップＳ１１５ＤからステップＳ１１９ＤおよびステップＳ１２１Ｄまでにおける回転体部６００の押圧または接触操作および回転操作の間、ステップＳ１１０Ａで再生位置における音量の大きさに対応する振動モータ９５０の振動制御が継続しているので、利用者は入力操作に対応して移動される再生位置における音量の大きさを振動により認識できる。
【０２０５】
そして、ステップＳ１１６Ｄで回転体部６００の押圧状態が継続していると判断すると、ステップＳ１１５Ｄに戻っていわゆるスクラッチ処理を継続する。一方、このステップＳ１１６Ｄで、回転体部６００の押圧状態が継続していないと判断すると、処理手段４４０は、操作信号認識手段４１１で設定しているスピード調整部３４２Ｂの再生の立ち上がり速度に応じて再生速度を１００％にする処理をする（ステップＳ１２２Ｄ）。
【０２０６】
この後、情報処理手段４００は、操作信号認識手段４１１により再生処理の停止要求、すなわち再生／停止ボタン３４８の入力操作による再生停止を認識したか否かを判断する（ステップＳ１２３Ｄ）。そして、このステップＳ１２３Ｄで再生停止を認識しないと判断すると、ステップＳ１０８Ａに戻って再生処理を継続する。一方、ステップＳ１２３Ｄで再生停止を認識したと判断すると、この再生を停止し、再生処理を終了する。
【０２０７】
〔再生システムの作用効果〕
上記第４実施形態における再生システム１００のスイッチ装置５００では、利用者の入力操作により回転体部６００が回転あるいは押圧または接触されると、その入力操作に対応した操作信号である検出信号を情報処理手段４００へ出力し、情報処理手段４００で音楽データや映像データなどの情報を入力操作状況に応じて所定の処理状態で処理させ、この検出信号に基づいて処理されて出力手段２００で出力される低音域の音量ピークなどの情報の特性に基づいて、情報処理手段４００で処理されて出力手段２００で出力される出力状態に対応して回転体部６００を振動させる。このため、例えば、比較的に大きな音量でかつ特殊な照明空間でＤＪ奏法を実施して音楽データや映像データを再生処理する際に、音楽データのリズムや低音域のピークなどの特性の位置、あるいは画像の切り替わり位置などの特性が変化する位置を振動にて聴覚や視覚以外の感覚で認識できる。したがって、情報の処理状況を容易に認識できるため、音楽データや映像データにおける特定の特性の再生や再生タイミング、特性の切り替わりタイミングなどが特に厳格に要求されるＤＪ奏法で、良好な特性の認識によるより有効的な再生処理が実施できる。さらには、感触で情報の特性を認識でき、処理状態を入力操作にて適宜設定・変更できる情報処理装置３００として構成している。このため、スイッチ装置５００を視認することなく情報処理条件の設定操作ができ、情報処理装置３００をいわゆる電子楽器のように操作でき、汎用性の向上も容易に図れる。
【０２０８】
そして、情報を処理する情報処理装置３００にスイッチ装置５００を配設し、回転操作可能な回転体部６００の回転操作により、入力状態に対応した処理状況である再生位置を変更する情報処理を実施している。このため、回転操作に再生位置を変更する回転体部６００の回転操作時に、再生位置に対応する設定位置を移動規制による感触として容易に認識できるため、設定位置を容易に認識できる。したがって、特にＤＪ奏法における再生処理とともに、再生処理内容を設定した設定位置の認識も容易にでき、良好なＤＪ奏法が得られる。さらに、情報処理を実施する情報処理手段４００と、情報処理の処理状況を設定するスイッチ装置５００とを一体構成としている。このため、情報処理の際に接続する作業が不要で、情報処理が直ちに実行できるとともに、回転体部６００をレコードプレーヤにおけるターンテーブルを模擬した形状にデザイン化し、意匠性も向上できる。
【０２０９】
また、情報処理装置３００における情報処理手段４００として、情報を取得情報取得手段４２０と、取得した情報の特性を認識する特性認識手段４１２と、入力操作によりスイッチ装置５００やスイッチ部３４０から出力される操作信号に対応して出力手段２００で所定の出力状態に情報を処理する処理手段４４０と、を設けている。このため、情報の処理状況を設定する操作信号に基づき情報を処理させるとともに、情報の内容を容易に認識できるように感覚を提供するための再生処理する情報の特性の認識が、簡単な構成で容易に得られる。
【０２１０】
さらに、情報処理手段４００として、回転体部６００を振動させる振動モータ９５０を情報の特性に対応して制御する振動制御手段４３２を設けている。このため、例えばプログラム構成として回路基板やＣＰＵなどの１つの構成として、情報処理および情報の特性に対応した感触を提供する構成が得られ、構成の簡略化が容易図れる。
【０２１１】
さらに、特性認識手段４１２で認識する情報の特性として、処理手段４４０４５０で情報を処理して出力手段２００で出力する再生時間の時間軸における位置すなわち再生位置に対応して認識し、回転操作にて回転体部６００を回転操作して処理手段４４０で処理する処理状況である再生位置が移動する移動領域に特性の位置や特性が変化する位置が位置する場合、その位置を通過する際に振動制御を実施している。このため、再生時間に基づく再生位置の認識に基づいて特性の位置を認識するので、簡単で容易な演算で確実に特性位置で感触を提供でき、処理する情報の特性の対応した感触の提供が容易にできる。
【０２１２】
そして、情報の特性に対応した感触の提供として、回転体部６００に配設した振動モータ９５０に、情報の特性の大きさに対応する電流値の電流を流して回転体部６００を特性の大きさに対応して振動させる。このため、簡単な構成で特性に対応した感触を提供できる構成が容易に得られる。さらには、例えば携帯電話などの小型の電気機器に利用される振動モータを利用できるので、小型化も容易に図れる。
【０２１３】
さらに、感触を提供する情報の特性や回転入力操作状況および情報の処理状況を表示している。すなわち、低音域の音量のピーク状態やテンポなどの特性は第１の表示装置３１０で表示され、回転入力操作状況として設定位置や再生位置として第２の表示装置３２０で表示させ、処理状況として再生時間や速度などを第１の表示装置３１０で表示させている。このため、感触とともに表示でも利用者が確認でき、より容易に情報を再生処理するための処理状況の設定が容易、すなわち回転体部６００の回転操作や押圧あるいは接触操作、さらにはスイッチ部３４０の入力操作などの入力操作が容易にできる。
【０２１４】
〔第４実施形態の効果〕
上述したように、上記実施の形態では、利用者による回転体部６００の入力操作に対応した操作信号を情報処理手段４００へ出力し、情報処理手段４００で音楽データや映像データなどの情報を入力操作状況に応じて所定の処理状態で処理させ、この操作信号に基づいて処理されて出力手段２００で出力される音量の大きさなどの情報の特性に基づいて、情報処理手段４００で処理されて出力手段２００で出力される出力状態に対応して回転体部６００を振動させる。このため、例えば、比較的に大きな音量でかつ特殊な照明空間でＤＪ奏法を実施して音楽データや映像データを再生処理する際に、音楽データのリズムや低音域のピークなどの特性の位置、あるいは画像の切り替わり位置などの特性が変化する位置を振動にて聴覚や視覚以外の感覚で認識でき、情報の処理状況を容易に認識できる。
【０２１５】
また、情報処理装置３００として特性に対応して振動するスイッチ装置５００を設けている。このため、良好な特性の認識によるより有効的な情報処理が実施でき、特に音楽データや映像データにおける特定の特性の再生や再生タイミング、特性の切り替わりタイミングなどが特に厳格に要求されるＤＪ奏法で有効で、良好なＤＪ奏法が得られる。
【０２１６】
＜第５実施形態＞
以下、本発明の第５実施形態における再生装置としての再生システムの構成について説明する。なお、本発明におけるスイッチ装置としては、再生システムに利用される構成の他、いずれの情報を処理する構成、さらには情報を処理する構成のみならず、いずれのスイッチ構成にも適用可能である。
本実施形態は、基本構成（再生システム１００、出力手段２００、情報処理装置３００）が前述した前述した第１実施形態と同様であり（図２〜図１９参照）、スイッチ装置５００および情報処理手段４００についても基本的に前述した第４実施形態と同様である（図３２参照）。このため、重複する説明は省略する。
一方、本実施形態においては、情報処理手段４００において前述した第４実施形態とは一部相違する。このため以下には本実施形態における情報処理手段４００について説明する。
【０２１７】
(情報処理手段の構成)
本実施形態の情報処理手段４００では、前記第２実施形態に対して以下の構成が異なる。
特性認識手段４１２は、情報取得手段４２０で処理対象として取得した情報の特性、例えば情報が音楽データである場合には音量、音程、テンポなど、画像データの場合には明暗、コントラスト、色彩などを認識し特性情報として取得する。これら情報の特性は、その情報に関連付けられて記録媒体に記録された特性に関する情報の他、例えば処理手段４４０で情報を再生するための処理の際に周波数などに基づいて認識し、特性に関する特性情報として取得してもよい。例えば、図３４に示すように、音量を認識する。さらに、特性認識手段４１２は、認識した特性の位置を、情報を処理する処理時間の時間軸における位置、すなわち再生開始位置からの時間情報である経過時間を、記録情報に含まれる時間情報である分や秒、あるいはフレーム数に基づいて認識する。そして、特性認識手段４１２は、認識した特性とその位置である時間情報とを関連付けた特性情報として記憶手段３６０に順次記憶させる。また、特性認識手段４１２は、認識した情報の特性に関する特性情報を表示制御手段４５０へも適宜出力する。
【０２１８】
〔再生システムの動作〕
次に、第５実施形態の再生システム１００における情報を処理する動作について、図面を参照して説明する。なお、この動作処理において、記録媒体として音楽データが記録された光ディスクを利用した場合について説明するが、上述したように、処理する記録媒体はこの限りではない。図２６は、再生システムの情報処理動作における再生処理の動作を示すフローチャートである。図３３は、再生システムの情報処理動作における再生状況の変更処理を示すフローチャートである。
【０２１９】
まず、図２６に示すように、あらかじめ再生システム１００に電力が供給され、挿入口３０２に光ディスクなどの記録媒体が挿入されると（ステップＳ１０１Ａ）、情報処理手段４００がドライブ３３０を動作制御する。すなわち、例えばオートローディング機構により、本体ケース３０１内のドライブ３３０の所定の位置に記録媒体を装着させる。そして、情報処理手段４００は、記録媒体がドライブ３３０に装着されたことを認識すると、情報取得手段４２０により、ドライブ３３０を動作制御して記録媒体に記録された記録情報を読み取らせる。さらに、表示制御手段４５０により第１の表示装置３１０を制御して、記録情報を表示させる（ステップＳ１０２Ａ）。この後、情報処理手段４００は、スイッチ部３４０が利用者により入力操作されて出力する操作信号を操作信号認識手段４１１で認識し（ステップＳ１０３Ａ）、入力された処理状態を設定する（ステップＳ１０４Ａ）。なお、ステップＳ１０３ＡおよびステップＳ１０４Ａは以降の処理においても実施され、再生処理が終了するまで操作信号に基づいて処理状態が設定される。
【０２２０】
この後、処理対象の音楽データの選択待機状態となる（ステップＳ１０５Ａ）。すなわち、いずれの音楽データが選択されたか否かを判断する。そして、処理対象の音楽データが選択されたことを認識すると、情報取得手段４２０によりドライブ３３０や記憶手段３６０を制御して、選択された音楽データを読み取る（ステップＳ１０６Ａ）。さらに、表示制御手段４５０は、選択された音楽データの再生時間やトラック番号あるいはプレイリストにおける登録された番号など、音楽データに関する情報を表示させる。この後、処理対象の音楽データの再生待機状態となる（ステップＳ１０７Ａ）。すなわち、再生／停止ボタン３４８が入力操作されたか否かを判断し、再生／停止ボタン３４８の入力操作による再生要求を認識すると、処理手段４４０により出力手段２００で出力可能に音楽データを処理する再生処理を実施し、順次出力手段へ処理した音楽データを出力し、音声として発音手段２１０から出力させる（ステップＳ１０８Ａ）。このステップＳ１０８Ａの再生処理の際、情報処理手段４００の特性認識手段４１２により、音楽データの特性、例えばリズムであるテンポや低音域の音量などを認識する（ステップＳ１０９Ａ）。さらに、再生処理状況、例えば再生速度やステップＳ１０９Ａで認識した特性などを、第１の表示装置３１０および第２の表示装置３２０に表示させるとともに、特性に対応して振動モータ９５０を振動させる処理をする（ステップＳ１１０Ａ）。
【０２２１】
このステップと１１０Ａにおいて、第２の表示装置３２０における再生処理状況の表示としては、上述した数１に基づいて演算された余りの数Ａに関する再生位置情報に基づいて再生位置を認識する。そして、第２の表示装置３２０の再生位置表示部３２１における１２時の位置を基準として、算出した再生位置情報に相当する時計回りの方向の位置の発光素子を点灯させ、再生位置を表示させる。なお、再生中、演算される再生位置情報はフレーム数の増加により変化するため、表示される再生位置は、略円形状の仮想軌跡を回転する状態に移動する。また、振動モータ９５０の振動処理としては、再生位置情報および特性情報に基づいて、処理手段４４０で現在処理している再生位置における特性、例えば音量の大きさに対応して振動制御手段４３２で振動モータ９５０に供給する電力の電流値の大きさを設定して電力を供給させる。このことにより、回転体部６００が入力操作されていない状態でも出力手段２００における再生状況に対応して振動モータ９５０が振動して回転体部６００が振動している。したがって、例えば利用者が回転体部６００に手をかざす状態とすると、回転体部６００が再生処理している音楽データと対応して振動していることを認識できる。
【０２２２】
また、利用者がスイッチ部３４０のキューボタン３４７を押下操作することで、この操作信号を操作信号認識手段４１１が認識し情報の処理状態を設定する信号を出力する。この信号を認識した表示制御手段４５０は、信号の認識した時点における再生位置情報をキューポイント情報とし、キューポイント位置表示部３２２における１２時の位置を基準として、キューポイント情報に相当する時計回りの方向の位置する発光素子を点灯させ、キューポイントを表示させる。この演算されたキューポイント情報は、記憶手段３６０に適宜記憶される。
【０２２３】
そして、処理手段４４０で音楽データを再生している際に、図３３に示すように、回転体部６００が押圧操作されたか否かを判断する（ステップＳ１１１Ｄ）。具体的には、操作信号認識手段４１１が押圧検出手段８２０から操作信号が出力されたか否かを判断する。このステップＳ１１１Ｄで押圧操作を認識しない場合には、ステップＳ１０８Ａに戻って再生処理を継続する。また、ステップＳ１１１Ｄで押圧操作を認識すると、操作信号認識手段４１１は、クイックリターンボタン３４５がＯＮ状態であるか否かを判断する（ステップＳ１１２Ｄ）。すなわち、操作信号認識手段４１１は、回転体部６００の押圧操作の検出信号による再生状況を変更させる変更内容が、処理の停止または開始に関する変更内容、または、再生位置の変更に関する変更内容のうちのどちらの変更内容であるかを判断する。このステップＳ１１２Ｄにおいて、クイックリターンボタン３４５が押圧操作されてＯＮ状態であり、再生状況の変更内容が再生位置の変更に関する変更内容であると判断した場合、処理手段４４０は、再生速度を０％にして再生位置をキューポイントへ移動する処理をする（ステップＳ１１３Ｄ）。このステップＳ１１３Ｄの処理の際、再生速度が０％となることにより、振動制御手段４３２は振動モータ９５０に供給する電力を、再生速度が０％となる一時停止に対応して一時停止する。すなわち、図１９に示すように、再生が停止している期間Ｔに対応して供給する電力の電流値を０にする。
【０２２４】
一方、ステップＳ１１２Ｄにおいて、クイックリターンボタン３４５がＯＮ状態ではない、すなわちＯＦＦ状態であり、再生状況の変更内容が処理の停止または開始に関する変更内容であると判断した場合、処理手段４４０は、スイッチ部３４０のスピード調整部３４２Ｂにて設定され、操作信号認識手段４１１にて認識された再生停止過程における減速スピードに応じて、再生速度を徐々に０％にして再生処理を停止する処理をする（ステップＳ１１４Ｄ）。このステップＳ１１４Ｄの処理の際、再生速度が遅くなった状態での再生位置における音量の大きさに対応して振動モータ９５０が振動し、再生速度が０％になった再生が一時停止の状態に対応して振動モータ９５０の振動も一時停止させる。すなわち、上述したように、振動モータ９５０へ供給する電力の電流値を０にする。
【０２２５】
これらステップＳ１１３ＤまたはステップＳ１１４Ｄの後、操作信号認識手段４１１は、回転体部６００の回転移動検出手段８１０からの検出信号に基づいて、回転体部６００が回転操作されたか否かを判断する（ステップＳ１１５Ｄ）。このステップＳ１１５Ｄで回転されていないと判断すると、操作信号認識手段４１１は、回転体部６００の押圧状態が継続しているか否かを判断する（ステップＳ１１６Ｄ）。一方、ステップＳ１１５Ｄで回転されたと判断すると、操作信号認識手段４１１は、検出信号に基づいて回転方向が回転回り方向であるフォワード回転（ＦＷＤ）か否かを判断する（ステップＳ１１７Ｄ）。そして、ステップＳ１１７Ｄでフォワード回転であると判断すると、回転移動検出手段８１０からの検出信号における回転速度を認識する（ステップＳ１１８Ｄ）。この後、処理手段４４０は、回転速度に対応してフォワード方向へ再生速度が増大する状態に再生処理し（ステップＳ１１９Ｄ）、ステップと１１６Ｄへ進む。このステップＳ１１９Ｄの処理の際、再生速度が速くなっている状態での再生位置における音量の大きさに対応して振動モータ９５０が振動する状態に、振動モータ９５０へ供給する電力の電流値を制御する。
【０２２６】
一方、ステップＳ１１７Ｄでフォワード回転ではない、すなわちリバース回転（ＲＥＶ）であると判断すると、回転移動検出手段８１０からの検出信号における回転速度を認識する（ステップＳ１２０Ｄ）。この後、処理手段４４０は、回転速度に対応してリバース方向へ再生速度が増大する状態に再生処理し（ステップＳ１２１Ｄ）、ステップＳ１１６Ｄへ進む。このステップＳ１２１Ｄの処理の際、ステップＳ１１９Ｄと同様に、再生位置における音量の大きさに対応して振動モータ９５０が振動する状態に、供給する電力の電流値を制御する。そして、これらステップＳ１１５ＤからステップＳ１１９ＤおよびステップＳ１２１Ｄまでにおける回転体部６００の押圧または接触操作および回転操作の間、回転操作に応じて再生位置が移動しつつ再生された状態であれば、ステップＳ１１０Ａで再生位置における音量の大きさに対応する振動モータ９５０の振動制御が継続しているので、利用者は入力操作に対応して移動される再生位置における音量の大きさを振動により認識できる。また、一時停止など再生が停止している場合には振動も停止するので、電子楽器を演奏するように、入力操作に対応して変動する再生状況に応じて振動が変動し、再生状況を容易に認識できる。
【０２２７】
そして、ステップＳ１１６Ｄで回転体部６００の押圧状態が継続していると判断すると、ステップＳ１１５Ｄに戻っていわゆるスクラッチ処理を継続する。一方、このステップＳ１１６Ｄで、回転体部６００の押圧状態が継続していないと判断すると、処理手段４４０は、操作信号認識手段４１１で設定しているスピード調整部３４２Ｂの再生の立ち上がり速度に応じて再生速度を１００％にする処理をする（ステップＳ１２２Ｄ）。
【０２２８】
この後、情報処理手段４００は、操作信号認識手段４１１により再生処理の停止要求、すなわち再生／停止ボタン３４８の入力操作による再生停止を認識したか否かを判断する（ステップＳ１２３Ｄ）。そして、このステップＳ１２３Ｄで再生停止を認識しないと判断すると、ステップＳ１０８Ａに戻って再生処理を継続する。一方、ステップＳ１２３Ｄで再生停止を認識したと判断すると、この再生を停止し、再生処理を終了する。
【０２２９】
〔再生システムの作用効果〕
上記第５実施形態における再生システム１００のスイッチ装置５００では、利用者の入力操作により回転体部６００が回転あるいは押圧または接触されると、その入力操作に対応した操作信号である検出信号を情報処理手段４００へ出力し、情報処理手段４００で音楽データや映像データなどの情報を入力操作状況に応じて所定の処理状態で処理させ、この検出信号に基づいて処理されて出力手段２００で出力される情報の音量の大きさなどの特性と操作信号とに基づいて、操作信号の入力操作状況に対応して情報処理手段４００で処理されて出力手段２００で出力される情報の出力状態に対応して、回転体部６００を振動させる。このため、例えば、比較的に大きな音量でかつ特殊な照明空間でＤＪ奏法を実施して音楽データや映像データを再生処理する際に、出力状態に対応して振動するので、情報の出力状況を聴覚や視覚以外の感覚で認識できる。したがって、情報の出力状況を容易に認識できるため、音楽データや映像データにおける特定の特性の再生や再生タイミング、特性の切り替わりタイミングなどが特に厳格に要求されるＤＪ奏法で、良好な出力状況の認識によるより有効的な再生処理が実施できる。さらには、感触で情報の出力状況を認識でき、処理状況を入力操作にて適宜設定・変更できる情報処理装置３００として構成している。このため、スイッチ装置５００を視認することなく情報処理条件の設定操作ができ、情報処理装置３００をいわゆる電子楽器のように操作でき、汎用性の向上も容易に図れる。
【０２３０】
そして、情報を処理する情報処理装置３００にスイッチ装置５００を配設し、回転操作可能な回転体部６００の回転操作により、入力状態に対応した処理状況である再生位置を変更する情報処理を実施している。このため、回転操作に再生位置を変更する回転体部６００の回転操作時に、再生位置に対応する設定位置を移動規制による感触として容易に認識できるため、設定位置を容易に認識できる。したがって、特にＤＪ奏法における再生処理とともに、再生処理内容を設定した設定位置の認識も容易にでき、良好なＤＪ奏法が得られる。さらに、情報処理を実施する情報処理手段４００と、情報処理の処理状況を設定するスイッチ装置５００とを一体構成としている。このため、情報処理の際に接続する作業が不要で、情報処理が直ちに実行できるとともに、回転体部６００をレコードプレーヤにおけるターンテーブルを模擬した形状にデザイン化し、意匠性も向上できる。
【０２３１】
また、情報処理装置３００における情報処理手段４００として、情報を取得情報取得手段４２０と、取得した情報の特性を認識する特性認識手段４１２と、入力操作によりスイッチ装置５００やスイッチ部３４０から出力される操作信号に対応して出力手段２００で所定の出力状態に情報を処理する処理手段４４０と、を設けている。このため、情報の処理状況を設定する操作信号に基づき情報を処理させるとともに、情報の出力状況を容易に認識できるように感覚を提供するための再生処理する情報の特性の認識が、簡単な構成で容易に得られる。
【０２３２】
さらに、情報処理手段４００として、回転体部６００を振動させる振動モータ９５０を情報の特性に対応して制御する振動制御手段４３２を設けている。このため、例えばプログラム構成として回路基板やＣＰＵなどの１つの構成として、情報処理および情報の特性に対応した感触を提供する構成が得られ、構成の簡略化が容易図れる。
【０２３３】
さらに、特性認識手段４１２で認識する情報の特性として、処理手段４４０で情報を処理して出力手段２００で出力する再生時間の時間軸における位置すなわち再生位置に対応して認識し、回転操作にて回転体部６００を回転操作して処理手段４４０で処理する処理状況である再生位置における特性に対応して振動制御を実施している。このため、再生時間に基づく再生位置の認識に基づいて再生位置での特性を認識するので、簡単で容易な演算で確実に回転操作により変動する再生位置に基づく情報の出力状態に対応した感触を提供するための情報の特性の認識が容易にできる。
【０２３４】
そして、情報の出力状態に対応した感触の提供として、回転体部６００に配設した振動モータ９５０に、情報の特性である音量の大きさに対応する電流値の電流を流して回転体部６００を音量の大きさに対応して振動させる。このため、簡単な構成で出力状態に対応した感触を提供できる構成が容易に得られる。さらには、例えば携帯電話などの小型の電気機器に利用される振動モータを利用できるので、小型化も容易に図れる。
【０２３５】
〔第５実施形態の効果〕
上述したように、上記実施の形態では、利用者による回転体部６００の入力操作に対応した操作信号を情報処理手段４００へ出力し、情報処理手段４００で音楽データや映像データなどの情報を入力操作状況に応じて所定の処理状態で処理させ、この操作信号に基づいて処理されて出力手段２００で出力される音量の大きさなどの情報の特性と、操作信号の入力操作状況に対応して情報処理手段４００で処理される状況とにて、出力手段２００で出力される出力状態と対応して回転体部６００を振動させる。このため、例えば、比較的に大きな音量でかつ特殊な照明空間でＤＪ奏法を実施して音楽データや映像データを再生処理する際に、出力状態と対応して振動するので、情報の出力状況を聴覚や視覚以外の感覚で認識でき、良好に情報の出力状態を認識できる。
【０２３６】
また、情報処理装置３００として特性に対応して振動するスイッチ装置５００を設けている。このため、良好な特性の認識によるより有効的な情報処理が実施でき、特に音楽データや映像データにおける特定の特性の再生や再生タイミング、特性の切り替わりタイミングなどが特に厳格に要求されるＤＪ奏法で有効で、良好なＤＪ奏法が得られる。
【０２３７】
〔実施形態の変形〕
以上、本発明について好適な実施形態を挙げて説明したが、本発明は上記実施形態に限定されるものではなく、本発明の要旨を逸脱しない範囲において種々の改良並びに設計の変更が可能である。
【０２３８】
すなわち、スイッチ装置５００として、レコード盤を再生するためのレコードプレーヤにおけるターンテーブルを模擬した形状で説明したが、いずれの形状でもできる。例えば、ジョグテーブル部６１０は円盤状に限らず、角柱状としたり、平面視で星形や各種キャラクタをモチーフした形状としたりするなど、いずれの形状でもできる。
【０２３９】
そして、例えばＤＪ演奏に好適な再生システム１００あるいは情報処理装置３００として音楽情報を処理する構成について説明したが、処理対象の情報としては、音楽情報に限らず、画像情報や文字情報など、いずれの情報を処理する構成でもできる。さらに、ＤＪ奏者が利用する装置に限定されるものではなく、いずれの情報を再生する再生装置などとしても適用できる。
【０２４０】
また、情報処理装置３００に出力手段２００を接続したシステム構成の再生システム１００について説明したが、情報処理装置３００に出力手段２００が一体的に設けられた装置構成としてもよい。
【０２４１】
そして、入力操作の移動状況として、回転体部６００の回転操作の状況に応じて負荷が変動する状態に説明したが、例えば押圧操作による回転体部６００の押下移動状況に応じて負荷が変動する状態に移動を規制してもよい。さらには、回転体部６００に限らず、他のスイッチ部３４０の入力操作による移動状況で移動規制してもよい。また、上述した情報処理装置３００に限らず、他のいずれの装置のスイッチ装置に適用できる。
さらに、操作子の動作としては負荷が増大あるいは減少する状態である変動する状態に制御するのみに限られない。すなわち、例えば低音域の音量ピークやリズム、テンポなどの情報の特性に対応して振動させてもよい。具体的には、低音域のピークの大きさなど、特定周波数、または帯域における音量のピーク、あるいは、所定量以上の音量などを特定の対象とすることができる。さらには、音情報に限らず、例えば映像データのチャプタを特性としてこのチャプタが切り替わる位置など、チャプタに加え、映像のシーンの切り替わり位置なども対象とすることができる。
【０２４２】
なお、映像を情報として処理する構成では、例えば処理する位置の前後の映像や静止画像の差分を検出し、シーンやチャプタが切り替わったと想定される閾値となる特定量以上の差分情報が得られたときをシーンやチャプタが切り替わったと認識して振動させたり、映像データに付随する情報としてシーンが切り替わる位置を示す付帯情報を関連付け、この付帯情報に基づいてシーンの切り替わりを認識して振動させるなどすることが例示できる。
【０２４３】
また、回転体部６００の動作として特性や設定に対応した移動規制としてクリック感様の動作制御について説明したが、例えば上述したように、特性に対応する再生位置で振動モータ９５０などを利用して振動させるなど、回転体部６００の動作として、移動規制に限らず、例えばキューポイントの位置で回転体部６００からエアーが吹き出されてその位置を利用者が認識可能に報知するなど、利用者が感触として認識可能ないずれの動作状況を実施させるいずれの動作させる構成が利用できる。なお、本発明の動作の一例とした振動としては、周期的な振動の他、クリック感の様な一動作のみをも含むものである。また、操作子の動作として、負荷の変動である増減に限らず、増大あるいは減少のいずれか一方のみとすることもできる。
【０２４４】
そして、移動規制としても、クリック感様に限らずいずれの移動規制状態としてもよい。また、クリック感様の移動制御として、−Δθの位置から特性の位置までは移動抵抗を生じさせ、特性の位置から＋Δθまでは移動補助を実施して移動規制処理を説明したが、単に移動抵抗を生じさせるのみ、例えば、−Δθから特定の位置あるいは＋Δθの位置まで徐々に移動抵抗が減少する状態、さらには、−Δθの位置から特定の位置まで徐々に移動抵抗が増大し、特定の位置から＋Δθの位置まで徐々に移動抵抗が減少する状態とするなどしてもよい。また、単に移動補助のみ、例えば、−Δθの位置から特定の位置まで徐々に移動補助を増大し、特定の位置から＋Δθの位置まで徐々に移動補助が減少する状態とするなどしてもよい。
【０２４５】
さらに、例えばコンピュータに所定のプログラムをインストールして情報処理手段や処理制御手段を構成させ、このコンピュータにスイッチ装置５００を接続してコンピュータで情報を処理させたり、スイッチ装置５００を組み付けたゲーム機や、スイッチ装置５００をゲーム機のコントローラとして接続する構成とするなどにも適用できる。すなわち、音楽データや映像データを処理する構成に限らず、アプリケーションソフトウェアやゲームソフトウェアなどを処理する構成にも適用できる。
【０２４６】
そして、情報を再生すなわち出力させる出力手段２００として、発音手段２１０および表示手段２２０の双方を備えた構成について説明したが、いずれか一方のみでもよい。
【０２４７】
また、規制手段９００として、電動モータ９３１の駆動力を駆動伝達手段９３２を介して規制歯車９２０に伝達する構成について説明したが、移動規制するための負荷の制御としてはこの限りではない。例えば、駆動伝達手段９３２を用いず、電動モータ９３１の出力軸に規制歯車９２０を直接設けたり、回転体部６００を回転自在に軸支するために設けられた回転軸に電動モータ９３１の駆動力を伝達させるいわゆるダイレクトドライブ機構としたり、規制歯車９２０や第１の歯車６２３を設けず、ガイドリブ部６２１の周面やジョグリング部６５０の周面などに接触する接触部材であるローラに駆動力を作用させたり、電動モータ９３１に代えてソレノイドなどを用いてゴムなどの摩擦部材を有した接触部材の圧着度合いを可変して回転体部６００の回転時の摩擦力を可変して回転の際の抵抗が変動する状態としたり、いわゆるリニアモータなどのように、回転体部６００の下面となる裏面に磁石を設け、回転体部６００の回転移動により磁石が移動する移動軌跡に対応して対向する位置に極性が部分的に適宜発生あるいは変更する磁気発生手段を設け、磁石と磁気発生手段で発生あるいは変更された極性とによる反発や引き合う作用により、回転体部６００の回転時の抵抗が変動する状態の非接触型としたりするなど、いずれの方法が利用できる。なお、非接触型とすることで、円滑な回転時の抵抗の変動が得られる。
【０２４８】
そして、振動させる構成として振動モータ９５０を利用して説明したが、例えば圧電素子を利用し、情報の特性の大きさに対応する電圧値の電圧を印加して回転体部６００あるいはジョグテーブル部６１０のみを振動させてもよい。さらには、回転体部６００にスピーカを配設し、スピーカから発音させることにより、スピーカの振動板の振動により回転体部６００やジョグテーブル部６１０が振動する構成とするなどしてもよい。すなわち、振動により特性を報知できる構成であれば、いずれの構成を利用し、またいずれの位置に配設してもよい。
【０２４９】
さらに、回転移動検出手段８１０として、上述したように、光センサ８１４Ａを利用する構成に限らず、磁気センサを利用したり、さらには回転体部６００に接触するローラや歯車の回転軸に発電機を連結して回転により発生する電流値や電圧値などを読み取るなど、いずれの方法が利用できる。
【０２５０】
また、押圧検出手段８２０の構成として、上述したように、テープ状スイッチ８２１を利用する構成に限らず、感圧センサや圧電素子などを利用するなど、押圧や接触を検出可能ないずれの構成を利用してもよい。さらには、鍔部７１３に配設する場合に限らず、天板部７１１など、押圧や接触を検出可能ないずれの位置に配設する構成としてもよい。
【０２５１】
そして、回転体部６００を回転移動された際に、ステップＳ１１９Ａ〜ＤまたはステップＳ１２２Ａ〜Ｄで再生処理する際に、例えば音楽データの再生位置での低音域の音量の大きさに応じて回転操作時に回転体部６００が振動する状態にさらに規制手段９００を制御してもよい。このような構成によれば、利用者が入力操作で再生している音楽データの再生状況が聞き取れないような状況でも、容易に再生状況を認識でき、良好な入力操作である奏法が実施できる。
【０２５２】
また、回転駆動手段９３０は、回転移動検出手段８１０からの検出信号に基づいて回転体部６００の移動量、すなわち回転角度を認識し、回転体部６００の移動量に応じた駆動力を回転体部６００に作用させる構成としてもよい。このような構成では、回転体部６００の移動量に応じて、移動量が大きくなると、この移動量に例えば略比例する駆動力を回転方向とは逆方向に回転体部６００に作用させる。このため、回転体部６００には移動量に基づいた駆動力が作用し、利用者は、この駆動力に応じた抵抗力を感じることができる。なお、このような構成の例としては、例えば回転体部６００の一部と台座部７１０とをばね部材などの付勢手段で連結させる構成などが挙げられる。この構成では、回転体部６００の移動量に応じて回転方向とは逆向きの抵抗力を容易に回転体部６００に作用させることができ、規制手段９００の構成も簡単にすることができる。
【０２５３】
さらに、規制手段９００は、特性認識手段４１２にて認識した情報の種別などの特性に応じて、回転体部６００に作用させる駆動力を制御してもよい。例えば、規制手段９００は、特性認識手段４１２で音楽データを認識した場合、規制手段９００は、上述したように回転体部６００の回転操作に応じた駆動力を作用させる処理を実施し、特性認識手段４１２で画像データを認識した場合、規制手段９００は、回転体部６００に駆動力を作用させない処理を実施する。このような構成では、利用者が音楽データを例えばディスクジョッキの奏法などで演奏したい場合には、規制手段９００は、所定の駆動力を作用させて回転体部６００の回転操作性を向上させることができる。また、利用者が例えば画像データなどを編集、閲覧するために回転体部６００を操作する場合には、規制手段９００による駆動力が作用しないので、利用者は、回転体部６００を自由に回転操作することができる。
【０２５４】
また、規制手段９００は、他の各種スイッチ部３４０に駆動力を作用させる構成としてもよい。例えば、規制手段９００は、テンポ調整部３４３のテンポ調整つまみ３４３Ａの移動距離に応じて駆動力を作用させてもよい。このような構成では、例えば、テンポ調整つまみ３４３Ａの初期位置、すなわちテンポ調整つまみ３４３Ａの可変領域における略中心位置、から移動距離が大きくなるほどテンポ調整つまみ３４３Ａを初期位置に戻す方向に駆動力を作用させる。また、テンポ調整つまみ３４３Ａを移動させた際の移動速度に応じて駆動力を作用させる構成としてもよい。このような構成では、利用者はテンポ調整つまみ３４３Ａを移動させたときに駆動力による抵抗力を感じることができ、この抵抗力により例えばテンポ調整つまみ３４３Ａの移動量や移動速度を認識することができる。
【０２５５】
さらに、規制手段９００は、上述したような回転式のスイッチ、スライド式のスイッチに限らず、例えば押下式のスイッチに駆動力を作用させる構成としてもよい。例えば、規制手段９００は、サーチボタン３４６Ｂの押下状態に応じて駆動力を作用させてもよい。そして、規制手段は、例えばサーチボタン３４６Ｂが強く押し込まれると強い駆動力が作用させ、弱く押し込まれると弱い駆動力が作用させる。このような構成では、例えば情報処理手段４００が、サーチボタン３４６Ｂが強く押し込まれると高速サーチを実施し、弱く押し込まれると低速サーチを実施するといったサーチボタン３４６Ｂの押下状態で異なる処理が実施する場合において、利用者はサーチボタン３４６Ｂの押下したときの抵抗力により押下状態を認識することができ、容易に情報処理手段４００に所望の処理を実施させることができる。
【０２５６】
また、特性認識手段４１２にて情報が音楽データであると判断した場合、回転駆動手段９３０は、音楽データが再生される間、電動モータ９３１から伝達される所定の駆動力により回転体部６００を常時回転させる構成であってもよい。この時、従来のレコードプレーヤのターンテーブルの回転方向および回転速度と略同一にする。このような構成では、利用者は、所定の駆動力で回転する回転体部６００を操作することで、従来のレコードプレーヤの回転するターンテーブルを操作する操作感をより感じることができる。
【０２５７】
また、情報の特性としては、上述した低音域のピークに限らず、テンポなどのリズムに関する情報、特定周波数、または帯域における音量のピーク、あるいは、所定量以上の音量などを対象とすることができ、これらの特性に対応させて振動させたり、振動の大きさを変動させたりするなどしてもよい。さらには、情報の特性として、音情報に限らず、例えば映像データのチャプタを特性としてこのチャプタが切り替わる位置など、チャプタに加え、映像のシーンの切り替わり位置なども対象とすることができ、これらの特性に対応して振動を作用させたり、映像の明暗の変化の速さに応じて振動の大きさを変動させたりするなどしてもよい。
【０２５８】
また、入力操作により再生位置を設定した位置に飛ばすキューポイントの位置を設定位置として説明したが、これに限らず、例えば再生速度を変化させる位置や繰り返し位置の設定など、他のいずれの処理状況の設定を対象とすることができる。
【０２５９】
その他、本発明の実施の際の具体的な構造および手順は、本発明の目的を達成できる範囲で他の構造などに適宜変更できる。
【産業上の利用可能性】
【０２６０】
本発明は、入力操作される操作子を備え、入力操作に応じて情報を出力状態が変更する状態に処理し、情報の処理状況を設定するスイッチ装置、情報処理装置および再生装置に利用できる。
【図１】
0004848288.tif 000002
【図２】
0004848288.tif 000003
【図３】
0004848288.tif 000004
【図４】
0004848288.tif 000005
【図５】
0004848288.tif 000006
【図６】
0004848288.tif 000007
【図７】
0004848288.tif 000008
【図８】
0004848288.tif 000009
【図９】
0004848288.tif 000010
【図１０】
0004848288.tif 000011
【図１１】
0004848288.tif 000012
【図１２】
0004848288.tif 000013
【図１３】
0004848288.tif 000014
【図１４】
0004848288.tif 000015
【図１５】
0004848288.tif 000016
【図１６】
0004848288.tif 000017
【図１７】
0004848288.tif 000018
【図１８】
0004848288.tif 000019
【図１９】
0004848288.tif 000020
【図２０】
0004848288.tif 000021
【図２１】
0004848288.tif 000022
【図２２】
0004848288.tif 000023
【図２３】
0004848288.tif 000024
【図２４】
0004848288.tif 000025
【図２５】
0004848288.tif 000026
【図２６】
0004848288.tif 000027
【図２７】
0004848288.tif 000028
【図２８】
0004848288.tif 000029
【図２９】
0004848288.tif 000030
【図３０】
0004848288.tif 000031
【図３１】
0004848288.tif 000032
【図３２】
0004848288.tif 000033
【図３３】
0004848288.tif 000034
【図３４】
0004848288.tif 000035
【図３５】
0004848288.tif 000036